(57)【要約】  ワイヤレスインタフェースを介した遠隔通信システムにおいて、ページング情報を端末へ伝送するための方法であって、上記端末は、第１の繰り返し送信レベル又は第２の繰り返し送信レベルにて伝送された、受信されたメッセージを復号するように動作可能であり、上記第１の繰り返し送信レベルにおいて伝送されるメッセージはＮ１の回数で繰り返し送信され、上記第２の繰り返し送信レベルにおいて伝送されるメッセージはＮ２の回数で繰り返し送信され、ここでＮ１＜Ｎ２である。本方法はダウンリンクのサーチリソーススペースにおいて、且つ上記第１の繰り返し送信レベルにて、第１のページング割り当てメッセージを上記端末に伝送することと、ダウンリンクのサーチリソーススペースにおいて、且つ上記第２の繰り返し送信レベルにて、第２のページング割り当てメッセージを上記端末に伝送することと、を含む。【選択図】図３
2018533297.tif 000002
【特許請求の範囲】
【請求項１】
ワイヤレスインタフェースを介した遠隔通信システムにおいて、ページング情報を端末へ伝送するための方法であって、前記端末は、第１の繰り返し送信レベル又は第２の繰り返し送信レベルにて伝送された、受信されたメッセージを復号するように動作可能であり、前記第１の繰り返し送信レベルにおいて伝送されるメッセージはＮ１の回数で繰り返し送信され、前記第２の繰り返し送信レベルにおいて伝送されるメッセージはＮ２の回数で繰り返し送信され、ここでＮ１＜Ｎ２であり、前記方法は、
ダウンリンクのサーチリソーススペースにおいて、且つ前記第１の繰り返し送信レベルにて、第１のページング割り当てメッセージを前記端末に伝送することと、
ダウンリンクのサーチリソーススペースにおいて、且つ前記第２の繰り返し送信レベルにて、第２のページング割り当てメッセージを前記端末に伝送することと、を含む方法。
【請求項２】
前記第１のページング割り当てメッセージ及び前記第２のページング割り当てメッセージは前記ページング情報を含む、請求項１に記載の方法。
【請求項３】
前記第１及び第２のページング割り当てメッセージは、ページングリソーススペースにおいてページングリソースを割り当て、前記方法はさらに、
割り当てられた前記ページングリソースにおいて、且つ１つ以上のページングメッセージを介して、前記ページング情報を伝送することであって、前記１つ以上のページングメッセージは、前記第１及び第２の繰り返し送信レベルにおいて伝送される、ことを含み、前記ページング情報は、前記第１のページング割り当てメッセージのための復号時間に基づいて決定された開始時間から伝送される、請求項１に記載の方法。
【請求項４】
前記ページング情報を伝送することは、前記第２の繰り返し送信レベルにおいて、前記第２のページング割り当てメッセージ及び前記ページングメッセージの復号に基づいた終了時間まで、前記１つ以上のページングメッセージを伝送することを含む、請求項３に記載の方法。
【請求項５】
前記ページング情報の伝送は、前記第２のページング割り当てメッセージの伝送の終わりの前の時間において開始する、請求項３に記載の方法。
【請求項６】
前記第１のページング割り当てメッセージは、前記ページングリソーススペースにおいて第１のページングリソースを割り当てるためにあり、前記第２のページング割り当てメッセージは、前記ページングリソーススペースにおいて第２のページングリソースを割り当てるためにあり、
前記１つ以上のページングメッセージのうちの第１のものは、前記第１のページングリソースにおいて、前記第１の繰り返し送信レベルにて伝送され、
前記１つ以上のページングメッセージの第２のものは、前記第２のページングリソースにおいて、前記第２の繰り返し送信レベルにて伝送される、請求項３に記載の方法。
【請求項７】
前記第１及び第２のページングリソースは、
同じ周波数帯域幅から選択されること、
異なる周波数帯域幅から選択されること、
同じ伝送時間において開始するように選択されること、
異なる伝送時間において開始するように選択されること、
のうちの１つ、１つ以上である、請求項６に記載の方法。
【請求項８】
さらに端末が、前記第１の繰り返し送信レベルにて前記第１のページング割り当てメッセージを復号し、且つ前記第１の繰り返し送信レベルにて、前記開始時間から、前記１つ以上のページングメッセージのうちの少なくとも１つを復号する、請求項３に記載の方法。
【請求項９】
さらに端末が、前記第２の繰り返し送信レベルにて前記第２のページング割り当てメッセージを復号し、且つ前記開始時間よりも後の時間から、前記１つ以上のページングメッセージのうちの少なくとも１つの受信を開始する、請求項３に記載の方法。
【請求項１０】
前記ページング情報を伝送することは、前記第２の繰り返し送信レベルにて、前記ページング情報を伝送するための帯域幅と同じ帯域幅において、前記第１の繰り返し送信レベルにて、前記ページング情報を伝送することを含む、請求項３に記載の方法。
【請求項１１】
前記ページングメッセージを伝送することは、前記第２の繰り返し送信レベルにて、前記ページング情報を伝送するための帯域幅とは異なる帯域幅において、前記第１の繰り返し送信レベルにて、前記ページング情報を伝送することを含む、請求項３に記載の方法。
【請求項１２】
前記第１のページング割り当てメッセージは、前記ページングリソーススペースにおける前記第２のページング割り当てメッセージによって割り当てられた第２のページング周波数リソースと同一である、前記ページングリソーススペースにおける第１のページング周波数リソースを割り当てている、請求項３に記載の方法。
【請求項１３】
前記第１のページング割り当てメッセージは、前記ページングリソーススペースにおける前記第２のページング割り当てメッセージによって割り当てられた第２の周波数ページングリソースとは異なる、前記ページングリソースにおける第１の周波数ページングリソースを割り当てている、請求項３に記載の方法。
【請求項１４】
前記第１のページング割り当てメッセージの伝送は、前記第２のページング割り当てメッセージの伝送と同じ時間に開始する、請求項１に記載の方法。
【請求項１５】
前記第１のページング割り当てメッセージは、前記第２のページング割り当てメッセージを伝送する帯域幅と同じ帯域幅にて伝送される、請求項１に記載の方法。
【請求項１６】
前記第１のページング割り当てメッセージは、前記第２のページング割り当てメッセージを伝送する帯域幅とは異なる帯域幅にて伝送される、請求項１に記載の方法。
【請求項１７】
前記端末は、中程度の繰り返し送信レベルにて伝送される、受信されたメッセージを復号するように動作可能であり、前記中程度の繰り返し送信レベルにて伝送されたメッセージはＮ−ｍｅｄの回数で繰り返し送信され、ここでＮ１＜Ｎ−ｍｅｄ＜Ｎ２であり、前記方法はさらに、
前記中程度の繰り返し送信レベルにて、前記ダウンリンクのサーチリソーススペースにおいて、さらなるページング割り当てメッセージを伝送することであって、前記さらなるページング割り当てメッセージは前記ページングリソーススペースにおいてさらなるページングリソースを割り当てる、ことと、
必要に応じて、前記中程度の繰り返し送信レベルにて、前記さらなる割り当てられたページングリソースにおいてページングメッセージを伝送することであって、前記ページングメッセージは前記ページング情報を含む、こととを含む請求項１に記載の方法。
【請求項１８】
ワイヤレスインタフェースを介して端末をページングするために、遠隔通信システムにおいてモバイルノードを操作する方法であって、前記端末は、第１の繰り返し送信レベル又は第２の繰り返し送信レベルにて伝送される、受信されたメッセージを復号するように動作可能であり、前記第１の繰り返し送信レベルにて伝送されたメッセージはＮ１の回数で繰り返し送信され、前記第２の繰り返し送信レベルにて伝送されたメッセージはＮ２の回数で繰り返し送信され、ここでＮ１＜Ｎ２であり、前記方法は、
ダウンリンクのサーチリソーススペースにおいて、且つ前記第１の繰り返し送信レベルにて、第１のページング割り当てメッセージを前記端末に伝送するようにトランスミッタに命令することと、
ダウンリンクのサーチリソーススペースにおいて、且つ前記第２の繰り返し送信レベルにて、第２のページング割り当てメッセージを前記端末に伝送するように前記トランスミッタに命令することとを含む、方法。
【請求項１９】
遠隔通信システムにおいて利用するモバイルノードであって、前記モバイルノードはトランスミッタ、レシーバ、及びコントローラを備え、前記モバイルノードは、ワイヤレスインタフェースを介して端末をページングするように構成され、前記端末は、第１の繰り返し送信レベル又は第２の繰り返し送信レベルにて伝送される、受信されたメッセージを復号するように動作可能であり、前記第１の繰り返し送信レベルにて伝送されたメッセージはＮ１の回数で繰り返し送信され、前記第２の繰り返し送信レベルにて伝送されたメッセージはＮ２の回数で繰り返し送信され、ここでＮ１＜Ｎ２であり、前記端末をページングするように構成された前記モバイルノードは、
ダウンリンクのサーチリソーススペースにおいて、且つ前記第１の繰り返し送信レベルにて、第１のページング割り当てメッセージを前記端末に伝送するように前記トランスミッタに命令し、
ダウンリンクのサーチリソーススペースにおいて、且つ前記第２の繰り返し送信レベルにて、第２のページング割り当てメッセージを前記端末に伝送するように前記トランスミッタに命令するように構成された前記コントローラを備える、モバイルノード。
【請求項２０】
前記モバイルノードは、基地局、インフラストラクチャユニット、リレーノード、及び端末のうちの１つである、請求項１９に記載のモバイルノード。
【請求項２１】
遠隔通信システムにおいて利用するモバイルノードのための集積回路網であって、前記集積回路網は、ワイヤレスインタフェースを介して端末をページングするように共に動作するように構成されたコントローラ要素及びトランシーバ要素を備え、前記端末は、第１の繰り返し送信レベル又は第２の繰り返し送信レベルにて伝送される、受信されたメッセージを復号するように動作可能であり、前記第１の繰り返し送信レベルにて伝送されるメッセージはＮ１の回数で繰り返し送信され、前記第２の繰り返し送信レベルにて伝送されるメッセージはＮ２の回数で繰り返し送信され、ここでＮ１＜Ｎ２であり、前記端末をページングするように共に動作するように構成された前記コントローラ要素及び前記トランシーバ要素は、
ダウンリンクのサーチリソーススペースにおいて、且つ前記第１の繰り返し送信レベルにて、第１のページング割り当てメッセージを前記端末に伝送するようにトランスミッタに命令し、
ダウンリンクのサーチリソーススペースにおいて、且つ前記第２の繰り返し送信レベルにて、第２のページング割り当てメッセージを前記端末に伝送するように前記トランスミッタに命令するように共に動作するように構成された前記コントローラ要素及び前記トランシーバ要素を含む、集積回路網。
【請求項２２】
遠隔通信システムにおいて使用する端末を操作する方法であって、
前記端末はトランスミッタ、レシーバ、及びコントローラを備え、前記コントローラは、前記レシーバによって受信され、且つ第１の繰り返し送信レベル又は第２の繰り返し送信レベルにて伝送されたメッセージを復号するように構成され、前記第１の繰り返し送信レベルにて伝送されたメッセージはＮ１の回数で繰り返し送信され、前記第２の繰り返し送信レベルにて伝送されたメッセージはＮ２の回数で繰り返し送信され、ここでＮ１＜Ｎ２であり、
前記方法は、前記第１及び第２の繰り返し送信レベルのうちの１つにて、サーチリソーススペースにおいて前記レシーバによって受信されたページング割り当てメッセージを復号することであって、前記ページング割り当てメッセージは２つのページング割り当てメッセージのうちの１つであり、前記２つのページング割り当てメッセージの各々は前記第１及び第２の繰り返し送信レベルのうちの異なる繰り返し送信レベルにて送信される、ことを含む方法。
【請求項２３】
遠隔通信システムにおいて使用する端末であって、前記端末はトランスミッタ、レシーバ、及びコントローラを備え、前記コントローラは、
前記レシーバによって受信され、且つ第１の繰り返し送信レベル又は第２の繰り返し送信レベルにて伝送されたメッセージを復号し、ここで前記第１の繰り返し送信レベルにて伝送されるメッセージはＮ１の回数にて繰り返し送信され、前記第２の繰り返し送信レベルにて伝送されるメッセージはＮ２の回数にて繰り返し送信され、ここでＮ１＜Ｎ２であり、
前記第１及び第２の繰り返し送信レベルのうちの１つにて、サーチリソーススペースにおいて前記レシーバによって受信されたページング割り当てメッセージを復号するように構成され、前記ページング割り当てメッセージは２つのページング割り当てメッセージのうちの１つであり、前記２つのページング割り当てメッセージの各々は前記第１及び第２の繰り返し送信レベルのうちの異なる繰り返し送信レベルにて送信される、端末。
【請求項２４】
前記受信されたページング割り当てメッセージは、ページングリソーススペースにおいてページングリソースを割り当て、
前記コントローラは、前記割り当てられたページングリソースにおいて、且つ前記第１及び第２の繰り返し送信レベルのうちの１つにて、前記ページング割り当てメッセージの復号時間に基づいて決定された開始時間から、前記レシーバによって受信されたページングメッセージを、前記第１及び第２の繰り返し送信レベルのうちの１つにて、復号するようにさらに構成される、請求項２３に記載の端末。
【請求項２５】
遠隔通信システムにおいて使用する端末のための集積回路網であって、前記集積回路網は、
前記レシーバによって受信され、且つ第１の繰り返し送信レベル又は第２の繰り返し送信レベルにて伝送されたメッセージを復号し、ここで前記第１の繰り返し送信レベルにて伝送されるメッセージはＮ１の回数にて繰り返し送信され、前記第２の繰り返し送信レベルにて伝送されるメッセージはＮ２の回数にて繰り返し送信され、ここでＮ１＜Ｎ２であり、
前記第１及び第２の繰り返し送信レベルのうちの１つにて、サーチリソーススペースにおいて前記レシーバによって受信されたページング割り当てメッセージを復号し、前記ページング割り当てメッセージは２つのページング割り当てメッセージのうちの１つであり、前記２つのページング割り当てメッセージの各々は前記第１及び第２の繰り返し送信レベルのうちの異なる繰り返し送信レベルにて送信される、ように構成されたコントローラ要素及びトランシーバ要素を備える、集積回路網。
【請求項２６】
ワイヤレスインタフェースを介して遠隔通信システムにおいて端末をページングする方法であって、前記端末は第１の繰り返し送信レベル又は第２の繰り返し送信レベルにて伝送される、受信されたメッセージを復号するように動作可能であり、前記第１の繰り返し送信レベルにて伝送されるメッセージはＮ１の回数にて繰り返し送信され、前記第２の繰り返し送信レベルにて伝送されるメッセージはＮ２の回数にて繰り返し送信され、ここでＮ１＜Ｎ２であり、前記方法は、
ダウンリンクのサーチリソーススペースにおいて、且つ前記第１及び第２の両方の繰り返し送信レベルにて、ページング割り当てメッセージを伝送することであって、前記ページング割り当てメッセージはページングリソーススペースにおいてページングリソースを割り当てる、ことと、
割り当てられた前記ページングリソースにおいてページングメッセージを伝送することであって、前記ページングメッセージの伝送は、前記ページング割り当てメッセージの伝送の終わりの前の時間において開始する、こととを含む方法。
【請求項２７】
コンピュータによって実行される場合、前記コンピュータに請求項１、請求項１８、請求項２２、又は請求項２６の方法を実行させる、コンピュータソフトウェア。
【請求項２８】
請求項２７に係るコンピュータソフトウェアを記憶する記憶媒体。
【発明の詳細な説明】
【技術分野】
【０００１】
本開示は遠隔通信装置及び方法に関する。
【背景技術】
【０００２】
本願明細書に提供される「背景技術」の記載は、本開示の内容を概略的に提示するためにある。本願に挙げられた発明者らの研究は、この背景技術の項に記載される限りにおいて、従来技術とみなすことが適切ではあり得ず、又は出願時の技術水準の一部をなし得ない本記載の観点と同様に、明示的にも暗示的にも本発明の従来技術又は技術水準として認められるものではない。
【０００３】
３ＧＰＰにより規定されたＵＭＴＳ及びＬＴＥ（Ｌｏｎｇ  Ｔｅｒｍ  Ｅｖｏｌｕｔｉｏｎ）、並びにＬＴＥ−Ａ（Ｌｏｎｇ  Ｔｅｒｍ  Ｅｖｏｌｕｔｉｏｎ  Ａｄｖａｎｃｅｄ）アーキテクチャ等に基づいたモバイル遠隔通信システムは、モバイル遠隔通信システムの前世代によって提供されていたシンプルな音声及びメッセージサービスよりもさらに高性能なサービスをサポートすることができる。例えば、改善された無線インタフェース及び高データレートがＬＴＥシステムによって提供されるにつれ、ユーザは、以前は固定回線によるデータ接続を介してのみ利用可能であったようなビデオ・ストリーミング及びビデオ会議等の高速データレートでの用途を、モバイル通信デバイス上で活用することができる。
【０００４】
第３世代及び第４世代ネットワークの展開の予期された普及は、デバイスと用途との並行した発展を導いているが、このことは、利用可能な高データレートにその利点を活かすことよりもむしろ、ロバストな無線インタフェースや、カバレッジエリアの遍在性を上昇させることにその利点を活かしている。例として、いわゆるマシン型通信（ＭＴＣ）の用途が挙げられ、その一部は、いくつかの点で、比較していえばあまり頻繁ではない程度にて少量データを伝達する半自律又は自律のワイヤレス通信デバイス（ＭＴＣデバイス）が代表的である。例としては、いわゆるスマートメータが挙げられ、これは例えば、顧客の住居に配置され、ガス、水道、電気等の諸設備の顧客の消費に関連するデータを、中央のＭＴＣサーバへ定期的に送信する。スマートメータリングはＭＴＣデバイスの将来的な用途のほんの一例である。ＭＴＣタイプのデバイスの特徴についてのさらなる情報は、例えば、３ＧＰＰ  ＴＳ  ２２．３６８、バージョン１３．１．０、リリース１３（２０１４−１２）（非特許文献１）等の対応する規格に見出される。
【０００５】
ＭＴＣタイプの端末等の端末が、第３又は第４世代のモバイル遠隔通信ネットワークによって提供される広いカバレッジエリアの利点を活かすことは便利であり得る一方で、現在のところ、不利な点も存在する。スマートフォン等の便利な第３又は第４世代のモバイル端末とは異なり、ＭＴＣタイプの端末に対しては、そのような端末が比較的シンプルで安価であることが主に望まれている。ＭＴＣタイプの端末によって典型的に実行される機能（例えば、シンプルな収集及びレポーティング／比較的少量のデータの受信）の類は、例えばビデオ・ストリーミングをサポートするスマートフォンと比較して、実行するのに特に複雑な処理を必要としない。しかしながら、第３及び第４世代のモバイル遠隔ネットワークは、典型的には高度なデータ変調技術を用い、且つ実施するにはより複雑且つ高価な無線トランシーバ及びデコーダを必要とし得る無線インタフェース上で広帯域幅の使用をサポートする。スマートフォンにおいてそのような複雑な要素を含むことは通常、正当化される。というのも、スマートフォンは、典型的なスマートフォンのタイプの機能を実行するのに強力なプロセッサを通常、必要とするからである。しかしながら、上で示されるように、それでもなおＬＴＥタイプのネットワークを用いて通信を行うことができる比較的安価且つより複雑ではないデバイスを用いることがここで所望されている。
【０００６】
そのようなデバイスの複雑性、コスト、及び電力消費を低減するために提案されている技術の中で、第１のものは、デバイスが動作する周波数帯域の制限である。現在、低複雑性（Ｌｏｗ  Ｃｏｍｐｌｅｘｉｔｙ）（「ＬＣ」）端末が、６個の物理リソースブロック「ＰＲＢ」以下の帯域幅内で動作することが提案されている。ＬＴＥにおいて、６個のＰＲＢは１．４ＭＨｚの帯域幅に相当する。制限された帯域幅が、動作が制限された性能を有する端末に対して提供される場合、それはしばしば「狭帯域」と呼ばれる。遠隔通信システムの帯域幅は、それゆえ複数の６個のＰＲＢの狭帯域に区分されることができ、且つＬＣ−ＭＴＣはこれらの狭帯域の任意のものに波長を合わせることができることが期待される。
【０００７】
ＭＴＣ及びＬＣ−ＭＴＣのためのカバレッジを増加させる別の技術は、繰り返し送信の使用である。このカバレッジ拡張（ＣＥ）の特徴においては、ＬＣ−ＭＴＣのためのカバレッジは、ＬＣ−ＭＴＣへ伝送されるシンボル又はメッセージを繰り返すことによって、１５ｄＢ（Ｃａｔ−１の端末のカバレッジと比較して）まで拡張されることができる。同じ情報の数多くの繰り返し送信を用いることで、基地局によって提供されるカバレッジが拡張されることができる。レシーバは繰り返し送信された信号を蓄積することができ、こうした信号が、実質的に単一の高出力での伝送をシミュレーションする。
【０００８】
繰り返し送信技術が基地局によって提供されるカバレッジを改善し得る一方で、そうした技術は、端末から必要とされる電力、及び端末に到達するのに必要とされる時間に関して、端末のページングを非効率的にし得る。
【先行技術文献】
【非特許文献】
【０００９】
【非特許文献１】３ＧＰＰ  ＴＳ  ２２．３６８、バージョン１３．１．０、リリース１３（２０１４−１２）
【非特許文献２】Ｈｏｌｍａ  Ｈ．及びＴｏｓｋａｌａ  Ａ．、  “ＬＴＥ  ｆｏｒ  ＵＭＴＳ  ＯＦＤＭＡ  ａｎｄ  ＳＣ−ＦＤＭＡ  Ｂａｓｅｄ  Ｒａｄｉｏ  Ａｃｃｅｓｓ”、  Ｊｏｈｎ  Ｗｉｌｅｙ  ＆  Ｓｏｎｓ、２００９年
【発明の概要】
【課題を解決するための手段】
【００１０】
第１の例示的側面によれば、ワイヤレスインタフェースを介した遠隔通信システムにおいて、ページング情報を端末へ伝送するための方法が提供され、上記端末は、第１の繰り返し送信レベル又は第２の繰り返し送信レベルにて伝送された、受信されたメッセージを復号するように動作可能であり、上記第１の繰り返し送信レベルにおいて伝送されるメッセージはＮ１の回数で繰り返し送信され、上記第２の繰り返し送信レベルにおいて伝送されるメッセージはＮ２の回数で繰り返し送信され、ここでＮ１＜Ｎ２であり、上記方法はダウンリンクのサーチリソーススペースにおいて、且つ上記第１の繰り返し送信レベルにて、第１のページング割り当てメッセージを上記端末に伝送することと、ダウンリンクのサーチリソーススペースにおいて、且つ上記第２の繰り返し送信レベルにて、第２のページング割り当てメッセージを上記端末に伝送することと、を含む。
【００１１】
一部の例においては、第１のページング割り当てメッセージの伝送は、第２のページング割り当てメッセージの伝送と同時に開始してよく、或いは第１又は第２のページング割り当てメッセージの伝送は、第２又は第１の夫々のページング割り当てメッセージの伝送の終わりの前に開始してもよい。
【００１２】
一部の例においては、第１のページング割り当てメッセージは、第２のページング割り当てメッセージを伝送するための帯域幅と同じ帯域幅において伝送される。例えば第２のページング割り当てメッセージを伝送することは、第１のページング割り当てメッセージを伝送することを含み得る（例えば、Ｎ２＞Ｎ１の回数にて同じメッセージを伝送することによって）。
【００１３】
第２の例示的な側面によれば、ワイヤレスインタフェースを介して端末をページングするために、遠隔通信システムにおいてモバイルノードを操作する方法が提供され、上記端末は、第１の繰り返し送信レベル又は第２の繰り返し送信レベルにて伝送される、受信されたメッセージを復号するように動作可能であり、上記第１の繰り返し送信レベルにて伝送されたメッセージはＮ１の回数で繰り返し送信され、上記第２の繰り返し送信レベルにて伝送されたメッセージはＮ２の回数で繰り返し送信され、ここでＮ１＜Ｎ２であり、上記方法は、ダウンリンクのサーチリソーススペースにおいて、且つ上記第１の繰り返し送信レベルにて、第１のページング割り当てメッセージを上記端末に伝送するようにトランスミッタに命令することと、ダウンリンクのサーチリソーススペースにおいて、且つ上記第２の繰り返し送信レベルにて、第２のページング割り当てメッセージを上記端末に伝送するように上記トランスミッタに命令することとを含む。
【００１４】
第３の例示的な側面によれば、遠隔通信システムにおいて利用するモバイルノードが提供され、上記モバイルノードはトランスミッタ、レシーバ、及びコントローラを備え、上記モバイルノードは、ワイヤレスインタフェースを介して端末をページングするように構成され、上記端末は、第１の繰り返し送信レベル又は第２の繰り返し送信レベルにて伝送される、受信されたメッセージを復号するように動作可能であり、上記第１の繰り返し送信レベルにて伝送されたメッセージはＮ１の回数で繰り返し送信され、上記第２の繰り返し送信レベルにて伝送されたメッセージはＮ２の回数で繰り返し送信され、ここでＮ１＜Ｎ２であり、上記端末をページングするように構成された上記モバイルノードは、ダウンリンクのサーチリソーススペースにおいて、且つ上記第１の繰り返し送信レベルにて、第１のページング割り当てメッセージを上記端末に伝送するように上記トランスミッタに命令し、ダウンリンクのサーチリソーススペースにおいて、且つ上記第２の繰り返し送信レベルにて、第２のページング割り当てメッセージを上記端末に伝送するように上記トランスミッタに命令するように構成された上記コントローラを備える。
【００１５】
第４の例示的な側面によれば、遠隔通信システムにおいて利用するモバイルノードのための集積回路網が提供され、上記集積回路網は、ワイヤレスインタフェースを介して端末をページングするように共に動作するように構成されたコントローラ要素及びトランシーバ要素を備え、上記端末は、第１の繰り返し送信レベル又は第２の繰り返し送信レベルにて伝送される、受信されたメッセージを復号するように動作可能であり、上記第１の繰り返し送信レベルにて伝送されるメッセージはＮ１の回数で繰り返し送信され、上記第２の繰り返し送信レベルにて伝送されるメッセージはＮ２の回数で繰り返し送信され、ここでＮ１＜Ｎ２であり、上記端末をページングするように共に動作するように構成された上記コントローラ要素及び上記トランシーバ要素は、ダウンリンクのサーチリソーススペースにおいて、且つ上記第１の繰り返し送信レベルにて、第１のページング割り当てメッセージを上記端末に伝送するようにトランスミッタに命令し、ダウンリンクのサーチリソーススペースにおいて、且つ上記第２の繰り返し送信レベルにて、第２のページング割り当てメッセージを上記端末に伝送するように上記トランスミッタに命令するように共に動作するように構成された上記コントローラ要素及び上記トランシーバ要素を含む。
【００１６】
第５の例示的な側面によれば、遠隔通信システムにおいて使用する端末を操作する方法が提供され、上記端末はトランスミッタ、レシーバ、及びコントローラを備え、上記コントローラは、上記レシーバによって受信され、且つ第１の繰り返し送信レベル又は第２の繰り返し送信レベルにて伝送されたメッセージを復号するように構成され、上記第１の繰り返し送信レベルにて伝送されたメッセージはＮ１の回数で繰り返し送信され、上記第２の繰り返し送信レベルにて伝送されたメッセージはＮ２の回数で繰り返し送信され、ここでＮ１＜Ｎ２であり、上記方法は、上記第１及び第２の繰り返し送信レベルのうちの１つにて、サーチリソーススペースにおいて上記レシーバによって受信されたページング割り当てメッセージを復号することであって、上記ページング割り当てメッセージは２つのページング割り当てメッセージのうちの１つであり、上記２つのページング割り当てメッセージの各々は上記第１及び第２の繰り返し送信レベルのうちの異なる繰り返し送信レベルにて送信される、ことを含む。
【００１７】
第６の例示的な側面によれば、遠隔通信システムにおいて使用する端末が提供され、上記端末はトランスミッタ、レシーバ、及びコントローラを備え、上記コントローラは、上記レシーバによって受信され、且つ第１の繰り返し送信レベル又は第２の繰り返し送信レベルにて伝送されたメッセージを復号し、ここで上記第１の繰り返し送信レベルにて伝送されるメッセージはＮ１の回数にて繰り返し送信され、上記第２の繰り返し送信レベルにて伝送されるメッセージはＮ２の回数にて繰り返し送信され、ここでＮ１＜Ｎ２であり、上記第１及び第２の繰り返し送信レベルのうちの１つにて、サーチリソーススペースにおいて上記レシーバによって受信されたページング割り当てメッセージを復号するように構成され、上記ページング割り当てメッセージは２つのページング割り当てメッセージのうちの１つであり、上記２つのページング割り当てメッセージの各々は上記第１及び第２の繰り返し送信レベルのうちの異なる繰り返し送信レベルにて送信される。
【００１８】
第７の例示的な側面によれば、遠隔通信システムにおいて使用する端末のための集積回路網が提供され、上記集積回路網は、上記レシーバによって受信され、且つ第１の繰り返し送信レベル又は第２の繰り返し送信レベルにて伝送されたメッセージを復号し、ここで上記第１の繰り返し送信レベルにて伝送されるメッセージはＮ１の回数にて繰り返し送信され、上記第２の繰り返し送信レベルにて伝送されるメッセージはＮ２の回数にて繰り返し送信され、ここでＮ１＜Ｎ２であり、上記第１及び第２の繰り返し送信レベルのうちの１つにて、サーチリソーススペースにおいて上記レシーバによって受信されたページング割り当てメッセージを復号し、上記ページング割り当てメッセージは２つのページング割り当てメッセージのうちの１つであり、上記２つのページング割り当てメッセージの各々は上記第１及び第２の繰り返し送信レベルのうちの異なる繰り返し送信レベルにて送信される、ように構成されたコントローラ要素及びトランシーバ要素を備える。
【００１９】
第８の例示的な側面によれば、ワイヤレスインタフェースを介して遠隔通信システムにおいて端末をページングする方法が提供され、上記端末は第１の繰り返し送信レベル又は第２の繰り返し送信レベルにて伝送される、受信されたメッセージを復号するように動作可能であり、上記第１の繰り返し送信レベルにて伝送されるメッセージはＮ１の回数にて繰り返し送信され、上記第２の繰り返し送信レベルにて伝送されるメッセージはＮ２の回数にて繰り返し送信され、ここでＮ１＜Ｎ２であり、上記方法は、ダウンリンクのサーチリソーススペースにおいて、且つ上記第１及び第２の両方の繰り返し送信レベルにて、ページング割り当てメッセージを伝送することであって、上記ページング割り当てメッセージはページングリソーススペースにおいてページングリソースを割り当てる、ことと、割り当てられた上記ページングリソースにおいてページングメッセージを伝送することであって、上記ページングメッセージの伝送は、上記ページング割り当てメッセージの伝送の終わりの前の時間において開始する、こととを含む。
【００２０】
第９及び第１０の例示的な側面によれば、コンピュータによって実行される場合、上記コンピュータに、上述の方法のいずれかを実行させるコンピュータソフトウェア、及びそのコンピュータソフトウェアを各々記憶する記憶媒体が提供される。
【００２１】
さらなる夫々の側面及び特徴は添付の特許請求によって規定される。
【００２２】
前述のパラグラフは一般的な紹介として提供されているものであり、以下の特許請求の範囲を限定することは意図されていない。記載されている実施形態は、さらなる利点と共に、添付の図面と併せて考慮される以下の詳細な記載を参照することによって最良に理解されるであろう。
【００２３】
本開示のより完全な理解及び本開示に付帯する利点の多くは、添付の図面と関連して考慮される場合、以下の詳細な記載を参照することによってより良く理解されるのと同様に、容易に得られるであろう。図面において、同様の参照数字は同一又は対応の部分を示す。
【図面の簡単な説明】
【００２４】
【図１】図１はモバイル遠隔通信システムの一例を示す概略図を提供する。
【図２】図２はカバレッジ拡張を用いた従来のページング状態を示す。
【図３】図３は本開示に係るページング端末の一例を示す。
【図４】図４は本開示に係るページング端末の一例を示す。
【図５】図５は本開示に係るページング端末の一例を示す。
【図６】図６は本開示に係るページング端末の一例を示す。
【図７】図７は本開示に係るページング端末の一例を示す。
【図８】図８は本開示に係るページング端末の一例を示す。
【図９】図９は本開示に係るページング端末の一例を示す。
【図１０】図１０は本開示に係る例示的なページング方法を示す。
【図１１】図１１は本開示に係る例示的なページング方法を示す。
【図１２】図１２は遠隔通信システムに使用する例示的な端末及び例示的な基地局を示す。
【発明を実施するための形態】
【００２５】
図１は、モバイル（セルラー）遠隔通信ネットワーク／システム１００の一部の基本的な機能性を示す概略図を提供し、本例においては、概してＬＴＥの原理に従って動作するものであり、また以下でさらに記載されるように本開示の実施形態を実施するよう適合され得るものである。図１の様々な要素及びそれらの動作の個々のモードは周知のものであり、３ＧＰＰ（ＲＴＭ）団体によって管理される関連規格において規定され、且つまた例えばＨｏｌｍａ  Ｈ．及びＴｏｓｋａｌａ  Ａ等、本主題についての多くの書籍において記載されている（非特許文献２）。以下で具体的に記載されない遠隔通信ネットワークの動作的な態様は、例えば上記の関連規格、及びそれらの既知のバリエーションに従い、任意の既知の技術に従って実施され得る。さらに、本明細書において記載される一部の特定の例が特定の３ＧＰＰの実施に基づいた実施のことであり得る一方で、同じ原理は現行の基礎をなすネットワークの動作原理とは関係なく適用され得るものであることは理解されるであろう。すなわち、同じ原理は、過去、現在、又は未だ特定されていないとしても、他の規格に従って動作するワイヤレス遠隔通信ネットワークに適用されることができる。
【００２６】
ネットワークはコアネットワーク１０２に接続された複数の基地局１０１を含む。各基地局はカバレージ・エリア１０３（すなわちセル）を提供し、この中でデータは、端末デバイス１０４へ伝達され、且つ端末デバイス１０４から伝達されることができる。データは基地局１０１から無線ダウンリンクを介して個々のカバレージ・エリア１０３内にある端末デバイス１０４に送信される。データは端末デバイス１０４から無線アップリンクを介して基地局１０１へ送信される。アップリンク及びダウンリンク通信はネットワークのオペレータによって使用され得る無線リソースを用いて行われる。コアネットワーク１０２は個々の基地局１０１を介して端末デバイス１０４へ、及び端末デバイス１０４からデータをルーティングし、例えば認証、モビリティマネジメント、課金等の機能を提供する。基地局１０１及び端末デバイス１０４に加え、本システムはさらに、１つ以上のリレーノード／デバイスを含み得る。これらは関連のセルにおいて動作する端末デバイスのためのカバレッジを拡張するために用いられてよい。リレーノードの配置（例えばそれらの位置に関して）は、ワイヤレス遠隔通信システムにおけるカバレッジをサポートするためにリレーノードを用いるための一般的に確立された技術に従ってよい。用語に関しては、
端末デバイスは移動局、ユーザ機器（ＵＥ）、ユーザ端末、モバイル無線、モバイル端末、モバイルデバイス等と呼ばれ得る。同様に、基地局はトランシーバ局／ｎｏｄｅＢ／ｅ−ｎｏｄｅＢなどとも呼ばれ得る。
【００２７】
３ＧＰＰにより規定されるＬＴＥ（Ｌｏｎｇ  Ｔｅｒｍ  Ｅｖｏｌｕｔｉｏｎ）のアーキテクチャに従って構成されるようなモバイル遠隔通信システムは、無線ダウンリンク及び無線アップリンクに対して、直交周波数分割多重（ＯＦＤＭ）をベースにしたインタフェースを用いる（ダウンリンクに対しては所謂ＯＦＤＭＡを用い、アップリンクに対しては所謂ＳＣ−ＦＤＭＡを用いる）。
【００２８】
本カバレッジ拡張の記載において、３つのＣＥレベルが考慮され、ここでＣＥレベル１は、ＣＥレベル２及び３に比べて、相対的に少ない数の繰り返し送信を有し、ＣＥレベル２は、ＣＥレベル３に比べて、相対的に少ない数の繰り返し送信を有する。一例において、ＣＥレベル１は２０回の繰り返し送信を含んでよく、ＣＥレベル２は５０回の繰り返し送信を有してよく、ＣＥレベル３は２００回の繰り返し送信を含んでよい。３つのレベルのＣＥレベルが本明細書において概して記載されるが、同じ原理がより少ない（例えば２回）繰り返し送信レベル、又はより多い繰り返し送信レベルに適用されることを当業者は理解するものである。また、一部の例においては、想定される第１の繰り返し送信レベルが、適用される繰り返し送信が実質的に無いことに対応し、その一方で想定される第２の（又は第３の、等々）レベルが２回以上の（例えば１００回、又はそれ以上／以下）繰り返し送信を適用することに対応するように、最も低い繰り返し送信回数は「１回」であってもよい。
【００２９】
繰り返し送信のスキームがカバレッジ拡張のために実施される従来のモバイルネットワークにおいては、基地局は、端末、すなわちアイドルモードにある端末に対して、最後に通信を行ってから後は、その端末に対する繰り返し送信の設定における変化に概して気付かない。実際には、基地局は２つの方法のうちの１つで処理を進めることができる。すなわち、常に最悪のケースの状況を想定し、且つ貧弱なカバレッジレベルを想定する（すなわち高繰り返し送信レベル）か、或いは最終的に既知であったカバレッジレベル（もし在れば）を使用し、このカバレッジレベルを用いて端末にページングを開始し、返答が得られなければ、次いで更なる繰り返し送信を用いて端末にページングを試みる等である。２つ以上の端末（例えばセル内のすべての端末）が同時にページングされた場合、セルエッジに届くために、ページングは最大のパワー／繰り返し送信レベルにて伝送される。しかしながら、繰り返し送信の回数が不必要に多くなるにつれて、ページングに関連したメッセージを端末が復号するのに多くのリソースを使用し得るものであり、及び／又は、数多くの繰り返し送信及び／又はより高い繰り返し送信レベルでページングをリスタートさせる不正確な低い繰り返し送信レベルに起因して、ページングのメッセージの伝送を遅延させ得る。
【００３０】
より詳細には、図２は、カバレッジ拡張を用いた従来のページング状況を示す。ページングは、アイドルモードの端末がＲＲＣ接続を開始するように、その端末をページングするためにネットワークによって従来から用いられているものである。端末は特定のページング回数で起動し、ページングメッセージを聞き、任意のページングメッセージが端末へ送られたかどうかを決定する。他の例においては、セル内のすべての端末にページングをして、それらの端末にシステム情報（ＳＩ）の変化を知らせるか、又は地震及び津波警報システム（ＥＴＷＳ）又は商用モバイルアラートシステム（ＣＭＡＳ）メッセージ等のブロードキャストメッセージを送信するために用いられてもよい。レガシーシステムにおいては、ページングメッセージは、物理ダウンリンク共有チャネル（ＰＤＳＣＨ）によって搬送され、物理ダウンリンク制御チャネル（ＰＤＣＣＨ）におけるダウンリンク制御情報（ＤＣＩ）メッセージによってスケジューリングされる。ＰＤＣＣＨは、事実上、全ての端末がそれら端末へ送られるページングメッセージを検索するための共通のサーチスペースである。ＣＥモードの動作において、類似するスキームがページングメッセージをスケジューリングするために用いられる。すなわち、ＤＣＩは、実際のページングメッセージを搬送するＰＤＳＣＨをスケジューリングするために、ＭＰＤＣＣＨ（ＭＴＣ−ＰＤＣＣＨ）の共通のサーチスペースにおいて伝送される。ＳＩ変化の標識については、ＥＴＷＳ及びＣＭＡＳメッセージ、ＭＰＤＣＣＨによって搬送されるＤＣＩが、ＰＤＳＣＨ上で伝送される任意の対応のメッセージ無しにそのような標識を含み得ることもまた示唆されている。多くの場合、ページングは図２に示されるように実行され、ここでＤＣＩは、ＭＰＤＣＣＨ上でｔ０からｔ１で伝送され、レベル３で繰り返し送信され、最悪のケースシナリオを想定し、ＤＣＩはＰＤＳＣＨにおいてページングメッセージのためにリソースを割り当てる。ページングメッセージは次いで、ＰＤＳＣＨ上で、ｔ２からｔ３で、且つ繰り返し送信レベル３で伝送される。従って、端末は、任意のページングＤＣＩのために、ＭＰＤＣＣＨをブラインド復号することが期待され、レベル３の繰り返し送信を想定し、ＤＣＩの伝送が一度完了すると、想定された３の繰り返し送信レベルにおいても、実際のページングメッセージのためにＰＤＳＣＨを復号することが期待される。最終的に知っていた繰り返し送信レベルにおいて、基地局が端末にページングを行ったことが決定された場合であっても同様の原理が適用されたとしても、実際には、ページングＤＣＩは、全てではないにしろ、殆どの場合においてレベル３で繰り返し送信される可能性が非常に高い。すなわち、基地局は、ある時間内にいくつかの端末にページングを行おうとする可能性が高く、ＣＥレベル３でページングするや否や、次いで基地局はレベル３でページングＤＣＩのすべてを繰り返し送信するだろう。なぜなら、同一の信号が繰り返し送信期間中に伝送され且つ繰り返されることが極めて重要だからである。言い換えれば、仮に基地局がその期間内にページングメッセージの一部の伝送を中止した場合、次いで繰り返し送信された信号は異なるものとなってしまい、ＣＥレベル３の端末は、結果として正確にＭＰＤＣＣＨを受信することに失敗する可能性がある。結果として、殆どの場合において、又は全ての場合において、ページングは最大の繰り返し送信レベル（上記例ではレベル３）を想定して実行される可能性が高い。上で記載されたように、このことは不可避であると同時に、様々な制限を付すものでもある。
【００３１】
本開示によれば、ページング割り当てメッセージ（例えばＭＰＤＣＣＨ上のＤＣＩ）が異なる繰り返し送信レベルにて伝送され、且つ対応のページングメッセージ（例えばＰＤＳＣＨ上の）の伝送が、異なる繰り返し送信レベルのうちの最も低い繰り返し送信レベル（最も少ない回数の繰り返し送信を有する）での、ページング割り当てメッセージの復号に基づく時間ｔから開始する構成が提供される。ページングメッセージは次いで、この最も低い繰り返し送信レベルに基づいて繰り返し送信されてよい。ページングメッセージはまた、異なる繰り返し送信レベルの別のレベルでの、ページング割り当てメッセージの復号に基づく第２の時間ｔ’から伝送されてもよい。ページングメッセージは次いで、その別の繰り返し送信レベルに基づいて繰り返し送信されてよい。従って、端末がその反復レベルで、ページング割り当てメッセージを復号することができるや否や、この繰り返し送信レベルに基づいて、対応のページングメッセージを見つけ、且つ復号することができる。これにより、送られた任意のページングメッセージを端末が見つけるための時間を低減することができ、同時に基地局は、端末が最悪のケース状況にあって、その場合に端末が遅滞なく（ページングメッセージのためにカバレッジレベルを強めることと比較して）そのページング情報にアクセスすることができることを想定して、なおページング情報を送信することができる。早い段階でメッセージを復号することにより、そのメッセージを復号することでの電力消費を低減するという利点を提供することができる。
【００３２】
図３は、本開示に係るページング端末の例を示す。本例において、ページング割り当てメッセージ（例えばＤＣＩ）は、ｔ０からｔ６までの、異なる３つの繰り返し送信レベルＬ１、Ｌ２、及びＬ３にて、ＬＴＥにおけるＭＰＤＣＣＨ等のダウンリンクサーチスペース又はリソーススペース（この種のメッセージのみ、又は他の種類のメッセージも搬送するために用いられてよい）において伝送される。次いで、ページング割り当てメッセージに対応するページングメッセージの伝送は、ページング割り当てメッセージによって割り当てられたリソースにおいて開始でき、且つ時間ｔ２から、対応の繰り返し送信レベルＬ１、Ｌ２、及びＬ３において、ＬＴＥにおけるＰＤＳＣＨ等のページングスペース又はページングリソーススペース（この種のメッセージのみ、又は他の種類のメッセージも搬送するために用いられてよい）において開始することができる。端末に対する割り当てメッセージの伝送の後、すなわちｔ６の後でのページングメッセージの伝送を開始させるよりもむしろ、その伝送は、最も高い繰り返し送信レベルよりも低い繰り返し送信レベル、例えばＬ１又はＬ２での、及び図３の例においては最も低い繰り返し送信レベルＬ１での、ページング割り当てメッセージの復号に基づいて規定される時間ｔ２で開始することができる。従って、端末がｔ０とｔ１との間での伝送に基づいて、レベルＬ１にてページング割り当てメッセージを復号することができる場合、次いで時間ｔ１からレベルＬ１にてＰＤＳＣＨ／割り当てメッセージを復号することを開始することができる。同様に、ｔ０とｔ３との間での伝送に基づいて、レベルＬ２においてページング割り当てメッセージを復号することができる場合、時間ｔ４からレベルＬ２にてＰＤＳＣＨ／割り当てメッセージを復号することを開始することができる。しかしながら、端末がより低い繰り返し送信Ｌ１又はＬ２にてページング割り当てメッセージを復号することができず、最も高い繰り返し送信レベルＬ３にてのみページング割り当てメッセージを復号することができる場合、次いで端末は、対応のページングメッセージを時間ｔ７から、なお復号することができ、且つ繰り返し送信レベルの強化にて生じるようなＬ３で伝送される別のページング割り当てを待機する必要はない。このようにして、より良好な無線状況における（すなわちより低い繰り返し送信レベル又はＣＥレベルにおける）端末は、ページングメッセージの受信をより迅速に完了することができる。
【００３３】
本例において、ページング割り当てメッセージ（ＤＣＩ）は、同じ帯域幅（例えばＭＴＣデバイスのための狭帯域）において異なる繰り返し送信レベルを用いて伝送され、ページングメッセージは、同じ帯域幅（例えばＭＴＣデバイスのための狭帯域）において異なる繰り返し送信レベルを用いて伝送されるが、しかし他の例においては、ページング割り当てメッセージ及び／又はページングメッセージは、少なくとも以下の例から明らかであるように、繰り返し送信レベルに依存して、異なる帯域幅において伝送されることができる。図３のＰＤＳＣＨが単一のブロックとして示されているが、これは概略的な図示であり、例えば、Ｌ１でのページングメッセージの伝送は、Ｌ２でのページングメッセージの伝送が開始する前に終了してよく、その結果、異なる繰り返し送信レベル間でページングメッセージを伝送する信号において実際には一時的な休止が存在することになることは注目に値する。同様に、ページングメッセージを伝送するためのリソースは、ページングリソーススペースの幅全体を利用しなくてもよく、また、伝送開始の時点から送信の時点までページングリソーススペース内において周波数及び／又は時間リソースの一部のみを利用してもよい。
【００３４】
一部の例において、異なるページング割り当てメッセージは異なる繰り返し送信レベルのために送信される。例えば、２つの異なる繰り返し送信レベルにて１つ以上の端末をページングするために、２つの異なるページング割り当てメッセージが送信されてよく、第１のメッセージは第１の繰り返し送信レベルにて、及び第２のメッセージは第２の繰り返し送信レベルにて送信されてよい。第１のページング割り当てメッセージは、第１の繰り返し送信レベルにてページングメッセージを伝送するための第１の帯域幅において第１の集合のリソースを割り当てていてよく、他方で第２のページング割り当てメッセージは、第２の繰り返し送信レベルにてページングメッセージを伝送するための第２の帯域幅において第２の集合のリソースを割り当てていてよい。第１及び第２の帯域幅は、同一であっても異なっていてもよく、同一である場合、第１及び第２の集合のリソースは、同一であっても異なっていてもよい。例示として、図３の例において、３つの異なる割り当てメッセージが送信されてよく、第１の割り当てメッセージは第１の繰り返し送信レベルにて（ｔ２から）送信されるページングメッセージのためのリソースを示し、第２の割り当てメッセージは第２の繰り返し送信レベルにて（ｔ４から）送信されるページングメッセージのためのリソースを示し、第３の割り当てメッセージは第３の繰り返し送信レベルにて（ｔ７から）送信されるページングメッセージのためのリソースを示す。他の例においては、図４においてさらに詳細に示されるように、同じ割り当てメッセージが送信されてもよい。
【００３５】
図４は、本開示に係るページング端末の別の例を示す。本例においては、同じページング割り当てメッセージ、例えばＤＣＩがサーチスペースにおいて、且つ所望される最大の繰り返し送信レベル、例えばＬ３で送信される。繰り返し送信レベルＬ３においてメッセージを伝送することによって、より低い繰り返し送信レベル、例えばＬ１及びＬ２にても自動的に伝送される。割り当てメッセージは、対応の所望される最大の繰り返し送信レベル、例えばＬ３（Ｌ３はまた、より低いレベル、例えばＬ１−Ｌ２にてもページングメッセージを暗に伝送する）にて、ページングメッセージを伝送するために用いられるリソースを示してよい。ページングメッセージを復号する端末は、次いで、割り当てメッセージが復号されたレベルを決定してよく、従って、割り当てられたリソースを用いてページングメッセージを復号することを開始する時間を決定してよい。従って、端末が、メッセージを送信するために用いられる繰り返し送信レベルよりも低い繰り返し送信レベルにて送信されたメッセージを復号することができる場合、メッセージが最大の回数の繰り返し送信にて伝送されるまで、このメッセージを復号し続けるよりも、その時点でメッセージを復号することを中止することができる。これは、早期終了時点と呼ばれる。
【００３６】
この実施形態では、基地局が最大のＣＥレベルを標的とするために、最高の繰り返し送信にて、割り当てメッセージを伝送することを期待される可能性が高く、それゆえそのようにすることにおいて任意の追加のリソースを無駄にしないことを認めている。複数のＣＥレベルは、この繰り返し送信の異なる時点において、その端末（例えばＬＣ−ＭＴＣ  ＵＥ）に繰り返し送信を早期に終了させることによって、なおサポートされることができる。従って、複数のＭＰＤＣＣＨの候補（複数の割り当てメッセージ）のブラインド復号は、もはや必要とはなり得ず、ページング割り当てメッセージの伝送が存在するか存在しないかの単純な決定のみが一部の場合において用いられ得る。これらの早期の終了時点は、図５に示されるように、ＰＤＳＣＨが早期の終了時点の後に開始することができるように規定され、且つその端末に対して通達されることができ、ここで最も高いＣＥレベルがレベル３であり、ＭＰＤＣＣＨがＣＥレベル３にて端末に到達するために、Ｌ３にて繰り返し送信される。２つの早期終了時点、すなわち時間ｔ１における早期終了１及び時間ｔ３における早期終了２が規定され、これらは夫々ＣＥレベル１及びＣＥレベル２を標的にするよう十分な繰り返し送信を有する。ＭＰＤＣＣＨのサーチスペースは、単一のＤＣＩ／ページング割り当てメッセージの候補を有する時間ｔ０において開始し、ＣＥレベル１での端末は時間ｔ１においてＭＰＤＣＣＨを復号することを試み、ＤＣＩを首尾よく復号した場合、時間ｔ２においてＰＤＳＣＨを受信することを開始する（及び、ＰＤＳＣＨ全体が時間ｔ８にて終了する前に、ＰＤＳＣＨの繰り返し送信を終了する）。失敗した場合、ＭＰＤＣＣＨの繰り返し送信の終わりまで、次の早期終了時点（すなわち、時間ｔ３における早期終了２）においてＤＣＩを復号しようとする。時間ｔ６にてＭＰＤＣＣＨの繰り返し送信の終わりの後で、ＭＰＤＣＣＨを検出又は復号できない場合、その端末はＤＣＩを検出することに失敗する。
【００３７】
他の例においては、異なるＰＤＳＣＨ（例えば異なる狭帯域を用いて）は、ページングメッセージを送信するために、及び図５に示されるように異なる早期終了時点のために用いられてよい。図５は本開示に係るページング端末のさらなる例を示す。
【００３８】
本例においては、異なる早期終了時点は、異なる帯域幅（例えばＰＤＳＣＨ１及びＰＤＳＣＨ２−３について異なる狭帯域）、又はその狭帯域内での異なるリソースエレメントを占め、及び／又は時間的に分離されている（例えばＰＤＳＣＨ２及びＰＤＳＣＨ３）同じ狭帯域を有することができる異なるＰＤＳＣＨを導く。どちらのＰＤＳＣＨ（例えばどちらの狭帯域）を使用するかを決定するための１つの例示的な技術は、ＤＣＩにおいて示されるＰＤＳＣＨ（又は狭帯域）に対して暗黙的な時間及び／又は周波数オフセットを有することであり、ここでこのオフセットは早期終了時点に依存する。例えば、端末が早期終了１で終了する場合、次いでＰＤＳＣＨはＤＣＩによって示される帯域よりも１つ下の狭帯域に位置付けられるが、端末が早期終了２にて終了する場合、次いでＰＤＳＣＨはＤＣＩによって示された狭帯域に位置付けられ、復号開始時点はｔ４にオフセットされる。
【００３９】
他の例においては、早期終了時点は特に規定されてはおらず、ページング割り当てメッセージの繰り返し送信を早期終了させることを望む時を決定することはその端末次第である。図６は、本開示に係るページング端末のさらなる別の例を示す。図６では、ページング割り当てメッセージの繰り返し送信について、その開始（時間ｔ０）と終了（時間ｔ６）との間において早期終了時点は規定されていない。その代わり、その端末は、時間ｔ０とｔ６との間で、繰り返し送信を早期に終了することを望む時を決定することができる。なお、本取り決めによれば、ページング割り当てメッセージの伝送／ＭＰＤＣＣＨがサブフレームｎで終了する場合、次いでページングメッセージ伝送／ＰＤＳＣＨの繰り返し送信は、この時間が時間ｔ６の後となるように、ｎ＋ｋのサブフレームにて開始する。図６において、ページングメッセージの伝送／ＰＤＳＣＨの開始時間ｔ５は、さらに早期にされることができ、その結果、早期の終了（すなわち、完全なページング割り当てメッセージの伝送／ＭＰＤＣＣＨの繰り返し送信は時間ｔ６に先立つ）は、対応のＰＤＳＣＨ（時間ｔ７において）を受信するために、ＭＰＤＣＣＨの繰り返し送信の終わりまで待つ必要はない。あるいは時間ｔ５＝ｔ７を有することも可能な一方で、これは、早期終了を有することができ且つ最も高い繰り返し送信レベルを必要としない全ての端末に対して、ページング伝送において遅延させてしまうことになる。
【００４０】
既出の説明において、異なる繰り返し送信でのページング割り当てメッセージが同じ帯域幅（例えば狭帯域）において伝送される一方で、他の例においては、異なるページング割り当てメッセージが、繰り返し送信レベルに依存して異なる帯域幅において送信されてよい。図７は本開示に従ったページング端末のさらなる例を示し、ここでは３つのページングサーチスペース（ＭＰＤＣＣＨ）が用いられ、３つのＣＥレベルの各々に対して１つのページングサーチスペースを有する。本例において、異なるサーチスペースからのページング割り当てメッセージ／ＤＣＩはＰＤＳＣＨに対して同じ狭帯域をスケジューリングするが異なる時間にて開始する。
【００４１】
複数の周波数リソース、例えば複数の帯域幅（例えばＬＣ−ＭＴＣ端末に対する狭帯域）が、ページングメッセージを搬送するＰＤＳＣＨに対して用いられることができ、そのようにして異なるＣＥレベルが、本開示に係る端末をページングすることの別の例を示す図８において示されるように、ＰＤＳＣＨに対して異なる狭帯域を使用することもまた理解されるべきである。この場合において、異なるページング割り当てメッセージは、異なる狭帯域において伝送され、同じページングメッセージは異なる狭帯域において伝送され、ページング割り当てメッセージ及びページングメッセージのための狭帯域は、繰り返し送信のレベルに基づいて決定される。このことはまた、ページングメッセージを有する、例えばページングメッセージに付加された異なる情報（例えばＣＥレベルの特定の情報）の伝送を可能にする。他の場合においては、さらなる情報は、追加の例えば繰り返し送信レベルに特定的な情報を追加することなく送信されるページングメッセージには追加されない。
【００４２】
上述の例においては、異なる繰り返し送信レベルのためのページング割り当てメッセージは同時に伝送されるが、他の例においては、それらは異なる時間において伝送される。図９は、本開示に係るページング端末の例を示し、ここで異なる繰り返し送信レベルのためのページング割り当てメッセージは、異なる時間において伝送される。本例において、異なるＣＥレベルのＤＣＩは、異なるページングオケージョン（機会）において、ＭＰＤＣＣＨ上で伝送される。すなわち、異なるＣＥレベルのＤＣＩは異なる時間において伝送される。ページングオケージョンのＣＥレベルは、例えば、ＬＣ−ＭＴＣのＵＥ（例えば、システム情報ブロック「ＳＩＢ」において示される情報に基づく、及び／又はプロトコル又は仕様により規定された）に知らされてよく、ここでそのＣＥレベルに適切なＭＰＤＣＣＨのサーチスペースが用いられる。図９に示される例において、３つのＣＥレベルが用いられる。本例において、異なる時間（すなわちページングオケージョン）において生じる異なるＣＥレベルにおけるＭＰＤＣＣＨのサーチスペースは、異なる狭帯域を占める。それらは同じ又は異なる帯域幅（例えば同じ狭帯域）を占めることができるが、図示の目的のために、異なる帯域上にあるように示されていることは理解されるべきである。また、異なるＣＥレベルのためのページングオケージョンは異なる周期性を有してよく、図９における例においては、その周期性は、ＣＥレベル１、ＣＥレベル２、及びＣＥレベル３に対して夫々Ｐ１、Ｐ２、及びＰ３であり、ここでＰ３＞Ｐ２＞Ｐ１である。同じ期間が複数のＣＥレベルについて用いられることができることもまた理解される。ＣＥレベルモード１にあると認識している端末（ＬＣ−ＭＴＣのＵＥ）は、時間ｔ０において、連続しない待ち受け（Ｄｉｓｃｏｎｔｉｎｕｏｕｓ  Ｒｅｃｅｐｔｉｏｎ）（ＤＲＸ）から目覚め、ＣＥレベル１においてページングメッセージをスケジューリングする可能なＤＣＩのために復号を行おうとする。しかしながら、この端末がＭＰＤＣＣＨの複合に失敗した場合、時間ｔ１において、ＣＥレベル２（より高いＭＰＤＣＣＨの繰り返し送信を有する）についての次のページングオケージョンに進むことができる。ＣＥレベルは概して基地局に知られないが、第１の復号の試みが失敗した場合に、より高い繰り返し送信レベルでの第２の復号の試みが成功することが概して期待されるように、端末（例えばＬＣ−ＭＴＣのＵＥ）に知られるか、又は推定される。端末が現在の繰り返し送信レベルを知る／推定すると、この端末は一部のページングオケージョンにおいて目覚めることを回避することができる。例えば、ＣＥレベル３にあることを知っている場合、このＬＣ−ＭＴＣのＵＥはＣＥレベル１及びＣＥレベル２に対応するページングオケージョンにて目覚める必要はない。
【００４３】
図１０は、本開示に係る例示的なページング方法を示す。本方法が一旦開始すると、第１のページング割り当てメッセージ（ＰＡＭ１）が、ステップＳ１０１にて、ダウンリンクのサーチリソーススペースにおいて、第１の繰り返し送信レベルで伝送され、第２のページング割り当てメッセージ（ＰＡＭ２）は、ダウンリンクのサーチリソーススペースにおいて、第１の繰り返し送信レベルについての繰り返し送信の回数（Ｎ１）よりも（厳密には）より多い繰り返し送信（Ｎ２）を有する第２の繰り返し送信レベルにて伝送される。一部の例において、ＰＡＭ１及びＰＡＭ２は、ページングリソーススペースにおいてページングリソースを割り当て、及び／又は端末に対してページング情報がＰＡＭ１又はＰＡＭ２を介して伝送されてもよい。上述したように、ＰＡＭ１及びＰＡＭ２の伝送は、同時又は異なる時間にて開始していることができ、且つまた、同じ周波数帯又は異なる周波数帯にあってもよい。一例において、ＰＡＭ２を伝送することはＰＡＭ１を伝送することを含み、例えば、それらが同じ集合のリソースを割り当てる場合、その割り当てメッセージの内容は同一であってよく、割り当てメッセージをＮ２の回数で伝送することは、それをＮ１の回数で伝送することをも意味する。ページング情報がページング割り当てメッセージに含まれる場合（例えばＳＩ変化の標識に関しての上述の記載を参照。ＥＴＷＡ及びＣＭＡＳメッセージはＤＣＩメッセージにおいて全ての端末にブロードキャストされる）、次いで端末をページングするためにさらなるメッセージは伝送されなくてよい。上述において、端末は特定のカバレッジレベルにてページングされる一方で、本開示においては、２つ以上のページング割り当てメッセージが同じ端末へ、且つ異なるカバレッジ／繰り返し送信レベルにて送信されてよく、これにより端末へより迅速に到達する機会を増加させる。一部の場合においては、多数の繰り返し送信又はカバレッジレベルにおいて端末をページングすることによって、さらなるリソースが用いられ得る（例えば、異なる狭帯域が異なる繰り返し送信レベルについて用いられる場合、３つの繰り返し送信レベルにてＤＣＩを送信することは、単一のカバレッジレベルにてＤＣＩを送信することに比較して、用いられるリソースの数を増加させる）ことが指摘されている。しかしながら、一部の状況においては、このことは端末のページングをより迅速にすることによって、少なくとも部分的に補填されることができることが期待される。メッセージＰＡＭ１及びＰＡＭ２は、端末へ送られるユニキャストのメッセージの形式において、又はその端末を含むエリア（例えばサービングセル）内の全ての端末へ送信されるブロードキャストのメッセージの形式においてのいずれかで、端末へ伝送されることができることは当業者にとっては明らかである。
【００４４】
ページング情報を搬送するためにページングメッセージが伝送される場合、次いで追加の任意のステップが実行されてもよく、ここでページングメッセージ（ＰＭ）はＰＡＭ１及び／又はＰＡＭ２によって割り当てられたページングリソースにおいて伝送される。一部の例において、ＰＡＭ１及びＰＡＭ２の各々において示されるページングリソースは、その時間において開始し、及び／又は同じ周波数帯を用い、一部の例においては、それらは異なる時間において開始し、及び／又は異なる周波数帯を用いる。ＰＭは、第１及び第２の繰り返し送信レベルにて、且つＰＡＭ１の復号時間に基づいて決定された開始時間から伝送される。従って、第２の繰り返し送信レベルを用いる端末がＰＭを受信及び復号することがまだできない場合であっても、第１の繰り返し送信レベルにて動作する端末がＰＭを受信してよく、従って、より早期に対応の情報を受信し、適切な場合には、より早期に基地局との通信を開始することができる。
【００４５】
図１１は、本開示に係る例示的なページング方法を示す。本方法はＳ１１１にて開始し、ページング割り当てメッセージ（ＰＡＭ）は、ダウンリンクのサーチリソーススペースにおいて、第１及び第２の繰り返し送信レベルの両方にて伝送され、ここでＰＡＭはページングリソーススペースにおいてページングリソースを割り当てる。次いでＳ１１２において、ページングメッセージ（ＰＭ）は、割り当てられたページングリソースにおいて伝送され、ここでＰＭの伝送は、ＰＡＭの伝送の終了前の時間において開始する。従来、ＰＭの伝送は、最も高い繰り返し送信レベルにて、ＰＡＭの伝送の後から開始する必要があったが、本開示では、その伝送は、より低い繰り返し送信レベルにてＰＡＭを復号することができる端末がより早期にＰＭを受信且つ復号を開始できるように、前に開始されることができる。
【００４６】
図１０及び図１１の方法は２つの異なる方法として提示されているが、それらは両方とも、本明細書において記載された同じ全体の原理及びコンセプトに依存することは注目に値し、特に本開示の教示の観点から当業者がすぐに同定するであろう任意の修正と組み合わされてもよい。例えば、１つの方法は、ステップＳ１０１−Ｓ１０２及びＳ１１２（ここでＰＭの伝送はＰＡＭ２の伝送の終りの前の時間に開始する）の組み合わせに基づいて用いられてよく、別の方法は、Ｓ１１１とＳ１０３（第１の繰り返し送信レベルにおいてＰＡＭについての復号時間に基づいた開始時間で）に基づいて提供されてよい。
【００４７】
図１２は、遠隔通信システムの使用のための例示的端末及び例示的基地局を示す。特に、図１２は、互いに通信するように構成される例示的な端末（１２１０）及び例示的な基地局（１２２０）を示し、これらは且つ本明細書において記載された１つ以上の技術を実施し得る。端末１２１０は、ワイヤレスインタフェースを介して通信するためのアンテナに接続されたレシーバ１２１１及びトランスミッタ１２１２を備える。端末はまた、少なくともその端末１２１０のレシーバ及びトランスミッタを制御するためのコントローラ１２１３を含む。例えば、コントローラ、レシーバ、及びトランスミッタは、レシーバによって受信され、且つ第１の繰り返し送信レベル又は第２の繰り返し送信レベルにおいて伝送されるメッセージを復号するように共に動作するように構成されてよく、ここで第１の繰り返し送信レベルにて伝送されるメッセージはＮ１の数の回数で繰り返し送信され、第２の繰り返し送信レベルにて伝送されるメッセージはＮ２の数の回数で伝送され（ここでＮ１＜Ｎ２）、第１及び第２の繰り返し送信レベルのうちの１つにて、サーチリソーススペース内でレシーバによって受信されたページング割り当てメッセージを復号し、ページング割り当てメッセージは２つのページング割り当てメッセージのうちの１つであり、２つのページング割り当てメッセージの各々は第１及び第２の繰り返し送信レベルのうちの異なるレベルで送信される。一部の例において、ページング割り当てメッセージは、ページングリソーススペースにおいてページングリソースを割り当て、コントローラ、レシーバ、及びトランスミッタは、第１及び第２の繰り返し送信レベルのうちの１つにおいて、割り当てられたページングリソースにおいて、第１及び第２の繰り返し送信レベルの１つにおけるページング割り当てメッセージの復号時間に基づいて決定された開始時間から、レシーバによって受信されたページングメッセージを復号するように共に動作するように構成されてよい。
【００４８】
同様に、基地局１２２０はワイヤレスインタフェースを介して通信するためにアンテナに接続されたレシーバ１２２１及びトランスミッタ１２２２を備える。基地局１２２０はまた、基地局１２２０の少なくともレシーバ及びトランスミッタを制御するためのコントローラ１２２３を備える。例えば、コントローラ、レシーバ、及びトランスミッタは、ワイヤレスインタフェースを介して１つの端末又は１つ以上の端末をページングするように共に動作するように構成されてよく、１つの端末／１つ以上の端末は、第１の繰り返し送信レベル又は第２の繰り返し送信レベルにて伝送される、受信されたメッセージを復号するように動作可能であり、ここで第１の繰り返し送信レベルにて伝送されたメッセージはＮ１の回数にて繰り返し送信され、第２の繰り返し送信レベルにて伝送されるメッセージはＮ２の回数にて繰り返し送信される（ここでＮ１＜Ｎ２）。特に、１つの端末／１つ以上の端末をページングするように構成されたモバイルノードは、コントローラ、レシーバ、及びトランスミッタを備え、これらは、ダウンリンクのサーチリソーススペースにおいて、且つ第１の繰り返し送信レベルにて、１つの端末／１つ以上の端末へ第１のページング割り当てメッセージを伝送するようにトランスミッタに命令し、ダウンリンクのリサーチリソーススペースにおいて、且つ第２の繰り返し送信レベルにて、１つの端末／１つ以上の端末へ第２のページング割り当てメッセージを伝送するようにトランスミッタに命令するように共に動作するように構成される。一部の例において、第１及び第２のページング割り当てメッセージは、ページングリソーススペースにおいて、ページングリソースを割り当て、コントローラ、レシーバ、及びトランスミッタは、割り当てられたページングリソースにおいて、第１及び第２の繰り返し送信レベルにて、及び第１のページング割り当てメッセージの復号時間に基づいて決定された開始時間から、ページングメッセージを伝送するようにトランスミッタに命令するように、共に動作するように構成される。
【００４９】
また、ページングは、端末をページングする基地局の観点から、本明細書において概して記載されているが、他の場合においては、ページング及び／又はページングメッセージの伝送は、モバイルノード、例えばインフラストラクチャユニット、リレーノード、及び端末の他の例、又はワイヤレスインタフェースを介して通信可能であるモバイルノードの任意の他の例によって実行されてよい。例えば、リレーノードは、１つ以上の端末をページングする必要があってよく、及び／又はページング関連のメッセージを１つ以上の端末にリレーする必要があってよい。
【００５０】
図１２が端末及び基地局の概略図を示す一方で、本開示の例においては、各端末はトランスミッタ、レシーバ、及びコントローラを備え、各基地局はトランスミッタ、レシーバ、及びコントローラを備え、端末及び／又は基地局との通信を可能にする一方で、端末及び基地局は、任意の適切な技術を用いて実施されてもよいことは理解される。例えば、コントローラは、ワイヤレス遠隔通信システムにおいて実装される従来のプログラミング／構成技術を用いて、本明細書において記載された所望の機能を提供するように適切に構成／プログラミングされた１つ以上のプロセッサを備えてよい。各端末については、トランスミッタ、レシーバ、及びコントローラは、図１２においては、図示の容易さのために、別個の要素として概略的に示される。しかしながら、各端末については、これらのユニットの機能は様々に異なる方法において、例えば、単一の適切にプログラミングされた汎用のコンピュータ、適切に構成された特定アプリケーション用の集積回路／回路網、又は所望の機能の異なる要素を提供するための複数の別個の回路網／処理要素を用いて、提供されることができることは理解される。端末は、確立されたワイヤレス遠隔通信技術に従った動作機能に関連付けられた様々な他の要素（例えば電源、可能であればユーザインタフェース等）を概して含むことは理解される。
【００５１】
それゆえ、高い繰り返し送信レベルを用いる端末がページングメッセージを復号することが可能となる仕方で異なる繰り返し送信レベルが調整される（それにより潜在的な繰り返し送信レベルの強化によって生じる遅延に対して助力する）ことができる構成が記載されており、他方で低い繰り返し送信レベルを用いる端末は、他の端末の前にページングメッセージを復号し得る（それにより、より高い／最も高い繰り返し送信レベルにてすべての通信を受信する必要があることによって生じる遅延を低減する）。繰り返し送信レベル／カバレッジレベルにおいて各端末（個別にか、又はブロードキャストメッセージを介して）をページングし、必要である場合には後にそのレベルを調節するよりも、同じページング情報が、端末の迅速なページングを容易にさせることができる異なる繰り返し送信レベルにて各端末に対して伝送されることができる。
【００５２】
さらに、本明細書において記載された本方法工程は、任意の適切な順序にて実行されてよい。例えば、工程は、上述で記載された例において用いられた順序とは異なる順序において実行されてもよく、或いは、可能又は適切である場合にはいつでも、工程を挙げているいかなるところ（例えば特許請求の範囲において）において用いられる指示された順序とは異なる順序において実行されてもよい。このように、一部の場合において、一部の工程は異なる順序において、又は同時に、或いは同じ順序において実行されてもよい。例えば、ステップＳ１０１〜Ｓ１０２は、他の工程の１つ前に実行されてもよく（Ｓ１０１〜Ｓ１０２又はＳ１０２〜Ｓ１０１）、一部の例においては、それらは部分的に又は完全に重複し得る。本明細書において記載された任意の方法の工程のいずれかの実行の順序が技術的に可能である限り、それは本開示内に明らかに包含されるものである。
【００５３】
本明細書において用いられるように、情報又はメッセージを１つの要素に伝送することは、１つ以上のメッセージをその要素に送信することを含み得るものであり、またその情報の一部をその情報の残りとは別個に送信することを含み得る。含まれる「メッセージ」の回数とは、レイヤ又は想定される細かさにも依存し得る（例えば、単一のＭＡＣメッセージは複数のリソース要素に対応してよい）。
【００５４】
また、装置又はシステムの点に関して、いかなる側面が開示されていようとも、その教示は対応の方法についてもまた開示されている。同様に、方法の点に関して、いかなる側面が開示されていようとも、その教示は任意の適切な対応の装置又はシステムについてもまた開示されている。さらに、どの要素又はどの複数の要素が機能又は工程を実行するように構成されているか明確に特定されていない方法又はシステムに関連する任意の技術については、その機能を実行することができる任意の適切な要素又は複数の要素がこの機能又は工程を実行するように構成されることができることは本明細書において明示的に開示されている。例えば、任意の１つ以上又は１つのモバイル端末（例えばＬＣ−ＭＴＣ端末）、リレーノード、基地局、又は任意の他のモバイルノードは、適切である場合に、それが技術的に容易である限りにおいて、適宜、構成されてよい。
【００５５】
「より多い（大きい）」又は「より少ない（小さい）」の表現、又はそれらに対する均等な表現が本明細書において用いられる場合にはいつでも、それらの表現が、一方の選択肢が明示的に排除されない限り、「等しい」及び「等しくない」の選択肢の両方を開示することが意図されている。
【００５６】
本開示がＬＴＥ及び／又はＬＣ−ＭＴＣの文脈において記載されているとしても、その教示は、ＬＴＥに限定されず、他の３ＧＰＰ規格に適用可能であることは注目に値する。特に、本明細書において用いられた用語がＬＴＥ規格の用語と概して同じであるか又は類似しているとしても、その教示は、ＬＴＥの現在のバージョンに限定されず、ＬＴＥに基づかず、及び／又はＬＴＥ、３ＧＰＰ、又は他の規格（例えば５Ｇ規格）の任意の他の未来のバージョンに対応する任意の適切な構成に等しく適用可能である。例えば、サーチリソーススペースは、概してＭＰＤＣＣＨとして言及がなされていたが、ＭＰＤＣＣＨに限定されず、またページングリソーススペースが、概してＰＤＳＣＨとして言及がなされていたが、この例に限定されない。同様に、ページング割り当てメッセージの伝送は、簡略とするために、時にＰＤＳＣＨの伝送として言及されたＤＣＩ（例えばＭＰＤＣＣＨ上で）を伝送する文脈において記載され得るものであったが、他方でページングメッセージの伝送は、簡略とするために、時にＰＤＳＣＨの伝送として言及されたページングメッセージ（例えばＰＤＳＣＨ上で）を伝送する文脈において記載され得るものであるが、本開示はこれらの例のいずれか、又は両方に限定されない。
【００５７】
本発明のさらなる特定的及び好適な側面は添付の独立の請求項及び従属の請求項において説明される。従属の請求項の特徴は、特許請求の範囲において明示的に説明された組み合わせ以外の組み合わせにおいて、独立の請求項の特徴と組み合わされてよい。
【００５８】
従って、上述の記載は本発明の例示的な実施の態様を単に開示及び記載しているものである。当業者によって理解されるように、本発明は、本発明の趣旨又は本質的な特徴から逸脱することなく他の特定の形態において実施されてよい。従って、本発明の開示は例示的であることが意図されているが、しかし本発明の範囲及び他の請求項を限定するものではない。本開示は、本明細書における教示の容易に識別可能なあらゆる変形を含めて、以上の請求項の用語の範囲を、発明性のある主題が公開されることのないように、部分的に定義する。
【００５９】
本開示の個々の特徴は、以下の番号が付与された項によって規定される。
【００６０】
（１）
ワイヤレスインタフェースを介した遠隔通信システムにおいて、ページング情報を端末へ伝送するための方法であって、上記端末は、第１の繰り返し送信レベル又は第２の繰り返し送信レベルにて伝送された、受信されたメッセージを復号するように動作可能であり、上記第１の繰り返し送信レベルにおいて伝送されるメッセージはＮ１の回数で繰り返し送信され、上記第２の繰り返し送信レベルにおいて伝送されるメッセージはＮ２の回数で繰り返し送信され、ここでＮ１＜Ｎ２であり、上記方法は、
ダウンリンクのサーチリソーススペースにおいて、且つ上記第１の繰り返し送信レベルにて、第１のページング割り当てメッセージを上記端末に伝送することと、
ダウンリンクのサーチリソーススペースにおいて、且つ上記第２の繰り返し送信レベルにて、第２のページング割り当てメッセージを上記端末に伝送することと、を含む方法。
（２）
上記第１のページング割り当てメッセージ及び上記第２のページング割り当てメッセージは上記ページング情報を含む、（１）に記載の方法。
（３）
上記第１及び第２のページング割り当てメッセージは、ページングリソーススペースにおいてページングリソースを割り当て、上記方法はさらに、
割り当てられた上記ページングリソースにおいて、且つ１つ以上のページングメッセージを介して、上記ページング情報を伝送することであって、上記１つ以上のページングメッセージは、上記第１及び第２の繰り返し送信レベルにおいて伝送される、ことを含み、上記ページング情報は、上記第１のページング割り当てメッセージのための復号時間に基づいて決定された開始時間から伝送される、（１）に記載の方法。
（４）
上記ページング情報を伝送することは、上記第２の繰り返し送信レベルにおいて、上記第２のページング割り当てメッセージ及び上記ページングメッセージの復号に基づいた終了時間まで、上記１つ以上のページングメッセージを伝送することを含む、（３）に記載の方法。
（５）
上記ページング情報の伝送は、上記第２のページング割り当てメッセージの伝送の終わりの前の時間において開始する、（３）又は（４）に記載の方法。
（６）
上記第１のページング割り当てメッセージは、上記ページングリソーススペースにおいて第１のページングリソースを割り当てるためにあり、上記第２のページング割り当てメッセージは、上記ページングリソーススペースにおいて第２のページングリソースを割り当てるためにあり、
上記１つ以上のページングメッセージのうちの第１のものは、上記第１のページングリソースにおいて、上記第１の繰り返し送信レベルにて伝送され、
上記１つ以上のページングメッセージの第２のものは、上記第２のページングリソースにおいて、上記第２の繰り返し送信レベルにて伝送される、（３）から（５）のいずれか一項に記載の方法。
（７）
上記第１及び第２のページングリソースは、
同じ周波数帯域幅から選択されること、
異なる周波数帯域幅から選択されること、
同じ伝送時間において開始するように選択されること、
異なる伝送時間において開始するように選択されること、
のうちの１つ、１つ以上である、（６）に記載の方法。
（８）
さらに端末が、上記第１の繰り返し送信レベルにて上記第１のページング割り当てメッセージを復号し、且つ上記第１の繰り返し送信レベルにて、上記開始時間から、上記１つ以上のページングメッセージのうちの少なくとも１つを復号する、（３）から（７）のいずれか一項に記載の方法。
（９）
さらに端末が、上記第２の繰り返し送信レベルにて上記第２のページング割り当てメッセージを復号し、且つ上記開始時間よりも後の時間から、上記１つ以上のページングメッセージのうちの少なくとも１つの受信を開始する、（３）から（８）のいずれか一項に記載の方法。
（１０）
上記ページング情報を伝送することは、上記第２の繰り返し送信レベルにて、上記ページング情報を伝送するための帯域幅と同じ帯域幅において、上記第１の繰り返し送信レベルにて、上記ページング情報を伝送することを含む、（３）から（９）のいずれか一項に記載の方法。
（１１）
上記ページングメッセージを伝送することは、上記第２の繰り返し送信レベルにて、上記ページング情報を伝送するための帯域幅とは異なる帯域幅において、上記第１の繰り返し送信レベルにて、上記ページング情報を伝送することを含む、（３）から（９）のいずれか一項に記載の方法。
（１２）
上記第１のページング割り当てメッセージは、上記ページングリソーススペースにおける上記第２のページング割り当てメッセージによって割り当てられた第２のページング周波数リソースと同一である、上記ページングリソーススペースにおける第１のページング周波数リソースを割り当てている、（３）から（１１）のいずれか一項に記載の方法。
（１３）
上記第１のページング割り当てメッセージは、上記ページングリソーススペースにおける上記第２のページング割り当てメッセージによって割り当てられた第２の周波数ページングリソースとは異なる、上記ページングリソースにおける第１の周波数ページングリソースを割り当てている、（３）から（１１）のいずれか一項に記載の方法。
（１４）
上記第１のページング割り当てメッセージの伝送は、上記第２のページング割り当てメッセージの伝送と同じ時間に開始する、（１）から（１３）のいずれか一項に記載の方法。
（１５）
上記第１のページング割り当てメッセージは、上記第２のページング割り当てメッセージを伝送する帯域幅と同じ帯域幅にて伝送される、（１）から（１３）のいずれか一項に記載の方法。
（１６）
上記第１のページング割り当てメッセージは、上記第２のページング割り当てメッセージを伝送する帯域幅とは異なる帯域幅にて伝送される、（１）から（１４）のいずれか一項に記載の方法。
（１７）
上記端末は、中程度の繰り返し送信レベルにて伝送される、受信されたメッセージを復号するように動作可能であり、上記中程度の繰り返し送信レベルにて伝送されたメッセージはＮ−ｍｅｄの回数で繰り返し送信され、ここでＮ１＜Ｎ−ｍｅｄ＜Ｎ２であり、上記方法はさらに、
上記中程度の繰り返し送信レベルにて、上記ダウンリンクのサーチリソーススペースにおいて、さらなるページング割り当てメッセージを伝送することであって、上記さらなるページング割り当てメッセージは上記ページングリソーススペースにおいてさらなるページングリソースを割り当てる、ことと、
必要に応じて、上記中程度の繰り返し送信レベルにて、上記さらなる割り当てられたページングリソースにおいてページングメッセージを伝送することであって、上記ページングメッセージは上記ページング情報を含む、こととを含む（１）から（１６）のいずれか一項に記載の方法。
（１８）
ワイヤレスインタフェースを介して端末をページングするために、遠隔通信システムにおいてモバイルノードを操作する方法であって、上記端末は、第１の繰り返し送信レベル又は第２の繰り返し送信レベルにて伝送される、受信されたメッセージを復号するように動作可能であり、上記第１の繰り返し送信レベルにて伝送されたメッセージはＮ１の回数で繰り返し送信され、上記第２の繰り返し送信レベルにて伝送されたメッセージはＮ２の回数で繰り返し送信され、ここでＮ１＜Ｎ２であり、上記方法は、
ダウンリンクのサーチリソーススペースにおいて、且つ上記第１の繰り返し送信レベルにて、第１のページング割り当てメッセージを上記端末に伝送するようにトランスミッタに命令することと、
ダウンリンクのサーチリソーススペースにおいて、且つ上記第２の繰り返し送信レベルにて、第２のページング割り当てメッセージを上記端末に伝送するように上記トランスミッタに命令することとを含む、方法。
（１９）
遠隔通信システムにおいて利用するモバイルノードであって、上記モバイルノードはトランスミッタ、レシーバ、及びコントローラを備え、上記モバイルノードは、ワイヤレスインタフェースを介して端末をページングするように構成され、上記端末は、第１の繰り返し送信レベル又は第２の繰り返し送信レベルにて伝送される、受信されたメッセージを復号するように動作可能であり、上記第１の繰り返し送信レベルにて伝送されたメッセージはＮ１の回数で繰り返し送信され、上記第２の繰り返し送信レベルにて伝送されたメッセージはＮ２の回数で繰り返し送信され、ここでＮ１＜Ｎ２であり、上記端末をページングするように構成された上記モバイルノードは、
ダウンリンクのサーチリソーススペースにおいて、且つ上記第１の繰り返し送信レベルにて、上記第１のページング割り当てメッセージを上記端末に伝送するように上記トランスミッタに命令し、
ダウンリンクのサーチリソーススペースにおいて、且つ上記第２の繰り返し送信レベルにて、第２のページング割り当てメッセージを上記端末に伝送するように上記トランスミッタに命令するように構成された上記コントローラを備える、モバイルノード。
（２０）
上記モバイルノードは、基地局、インフラストラクチャユニット、リレーノード、及び端末のうちの１つである、（１９）に記載のモバイルノード。
（２１）
遠隔通信システムにおいて利用するモバイルノードのための集積回路網であって、上記集積回路網は、ワイヤレスインタフェースを介して端末をページングするように共に動作するように構成されたコントローラ要素及びトランシーバ要素を備え、上記端末は、第１の繰り返し送信レベル又は第２の繰り返し送信レベルにて伝送される、受信されたメッセージを復号するように動作可能であり、上記第１の繰り返し送信レベルにて伝送されるメッセージはＮ１の回数で繰り返し送信され、上記第２の繰り返し送信レベルにて伝送されるメッセージはＮ２の回数で繰り返し送信され、ここでＮ１＜Ｎ２であり、上記端末をページングするように共に動作するように構成された上記コントローラ要素及び上記トランシーバ要素は、
ダウンリンクのサーチリソーススペースにおいて、且つ上記第１の繰り返し送信レベルにて、上記第１のページング割り当てメッセージを上記端末に伝送するようにトランスミッタに命令し、
ダウンリンクのサーチリソーススペースにおいて、且つ上記第２の繰り返し送信レベルにて、上記第２のページング割り当てメッセージを上記端末に伝送するように上記トランスミッタに命令するように共に動作するように構成された上記コントローラ要素及び上記トランシーバ要素を含む、集積回路網。
（２２）
遠隔通信システムにおいて使用する端末を操作する方法であって、
上記端末はトランスミッタ、レシーバ、及びコントローラを備え、上記コントローラは、上記レシーバによって受信され、且つ第１の繰り返し送信レベル又は第２の繰り返し送信レベルにて伝送されたメッセージを復号するように構成され、上記第１の繰り返し送信レベルにて伝送されたメッセージはＮ１の回数で繰り返し送信され、上記第２の繰り返し送信レベルにて伝送されたメッセージはＮ２の回数で繰り返し送信され、ここでＮ１＜Ｎ２であり、
上記方法は、上記第１及び第２の繰り返し送信レベルのうちの１つにて、サーチリソーススペースにおいて上記レシーバによって受信されたページング割り当てメッセージを復号することであって、上記ページング割り当てメッセージは２つのページング割り当てメッセージのうちの１つであり、上記２つのページング割り当てメッセージの各々は上記第１及び第２の繰り返し送信レベルのうちの異なる繰り返し送信レベルにて送信される、ことを含む方法。
（２３）
遠隔通信システムにおいて使用する端末であって、上記端末はトランスミッタ、レシーバ、及びコントローラを備え、上記コントローラは、
上記レシーバによって受信され、且つ第１の繰り返し送信レベル又は第２の繰り返し送信レベルにて伝送されたメッセージを復号し、ここで上記第１の繰り返し送信レベルにて伝送されるメッセージはＮ１の回数にて繰り返し送信され、上記第２の繰り返し送信レベルにて伝送されるメッセージはＮ２の回数にて繰り返し送信され、ここでＮ１＜Ｎ２であり、
上記第１及び第２の繰り返し送信レベルのうちの１つにて、サーチリソーススペースにおいて上記レシーバによって受信されたページング割り当てメッセージを復号するように構成され、上記ページング割り当てメッセージは２つのページング割り当てメッセージのうちの１つであり、上記２つのページング割り当てメッセージの各々は上記第１及び第２の繰り返し送信レベルのうちの異なる繰り返し送信レベルにて送信される、端末。
（２４）
上記受信されたページング割り当てメッセージは、ページングリソーススペースにおいてページングリソースを割り当て、
上記コントローラは、上記割り当てられたページングリソースにおいて、且つ上記第１及び第２の繰り返し送信レベルのうちの１つにて、上記ページング割り当てメッセージの復号時間に基づいて決定された開始時間から、上記レシーバによって受信されたページングメッセージを、上記第１及び第２の繰り返し送信レベルのうちの１つにて、復号するようにさらに構成される、（２３）に記載の端末。
（２５）
遠隔通信システムにおいて使用する端末のための集積回路網であって、上記集積回路網は、
上記レシーバによって受信され、且つ第１の繰り返し送信レベル又は第２の繰り返し送信レベルにて伝送されたメッセージを復号し、ここで上記第１の繰り返し送信レベルにて伝送されるメッセージはＮ１の回数にて繰り返し送信され、上記第２の繰り返し送信レベルにて伝送されるメッセージはＮ２の回数にて繰り返し送信され、ここでＮ１＜Ｎ２であり、
上記第１及び第２の繰り返し送信レベルのうちの１つにて、サーチリソーススペースにおいて上記レシーバによって受信されたページング割り当てメッセージを復号し、上記ページング割り当てメッセージは２つのページング割り当てメッセージのうちの１つであり、上記２つのページング割り当てメッセージの各々は上記第１及び第２の繰り返し送信レベルのうちの異なる繰り返し送信レベルにて送信される、ように構成されたコントローラ要素及びトランシーバ要素を備える、集積回路網。
（２６）
ワイヤレスインタフェースを介して遠隔通信システムにおいて端末をページングする方法であって、上記端末は第１の繰り返し送信レベル又は第２の繰り返し送信レベルにて伝送される、受信されたメッセージを復号するように動作可能であり、上記第１の繰り返し送信レベルにて伝送されるメッセージはＮ１の回数にて繰り返し送信され、上記第２の繰り返し送信レベルにて伝送されるメッセージはＮ２の回数にて繰り返し送信され、ここでＮ１＜Ｎ２であり、上記方法は、
ダウンリンクのサーチリソーススペースにおいて、且つ上記第１及び第２の両方の繰り返し送信レベルにて、ページング割り当てメッセージを伝送することであって、上記ページング割り当てメッセージはページングリソーススペースにおいてページングリソースを割り当てる、ことと、
上記割り当てられた上記ページングリソースにおいてページングメッセージを伝送することであって、上記ページングメッセージの伝送は、上記ページング割り当てメッセージの伝送の終わりの前の時間において開始する、こととを含む方法。
（２７）
コンピュータによって実行される場合、上記コンピュータに（１）から（１７）、（１８）、（２２）、及び（２６）のいずれか一項に記載の方法を実行させる、コンピュータソフトウェア。
（２８）
（２７）に係るコンピュータソフトウェアを記憶する記憶媒体。
（２９）
添付の図面を参照して本明細書中の上述において実質的に記載された、端末にページング情報を伝送する方法、モバイルノードを操作する方法、遠隔通信システムにおいて使用するモバイルノード、モバイルノードのための集積回路網、端末を操作する方法、遠隔通信システムにおいて使用する端末、端末のための集積回路網、遠隔通信システムにおいて端末をページングする方法、コンピュータソフトウェア及び／又は記憶媒体。
（３０）
モバイルノード及び端末が、３ＧＰＰ通信プロトコル、ＬＴＥ通信プロトコル、４Ｇ通信プロトコル、及び５Ｇ通信プロトコルのうちの少なくとも１つを用いて、ワイヤレスインタフェースを介して通信するように動作可能である、（１）から（２９）のいずれか一項。
【００６１】
［参照］
［１］３ＧＰＰ  ＴＳ  ２２．３６８  ｖｅｒｓｉｏｎ  １３．１．０  Ｒｅｌｅａｓｅ  １３  （２０１４−１２）
［２］Ｈｏｌｍａ  Ｈ．及びＴｏｓｋａｌａ  Ａ．、「ＬＴＥ  ｆｏｒ  ＵＭＴＳ  ＯＦＤＭＡ  ａｎｄ  ＳＣ−ＦＤＭＡ  ｂａｓｅｄ  ｒａｄｉｏ  ａｃｃｅｓｓ」、Ｊｏｈｎ  Ｗｉｌｅｙ  ａｎｄ  Ｓｏｎｓ、２００９
【図１】
2018533297.tif 000003
【図２】
2018533297.tif 000004
【図３】
2018533297.tif 000005
【図４】
2018533297.tif 000006
【図５】
2018533297.tif 000007
【図６】
2018533297.tif 000008
【図７】
2018533297.tif 000009
【図８】
2018533297.tif 000010
【図９】
2018533297.tif 000011
【図１０】
2018533297.tif 000012
【図１１】
2018533297.tif 000013
【図１２】
2018533297.tif 000014
【手続補正書】
【提出日】平成30年5月29日(2018.5.29)
【手続補正１】
【補正対象書類名】特許請求の範囲
【補正対象項目名】全文
【補正方法】変更
【補正の内容】
【特許請求の範囲】
【請求項１】
ワイヤレスインタフェースを介した遠隔通信システムにおいて、ページング情報を端末へ伝送するための方法であって、前記端末は、第１の繰り返し送信レベル又は第２の繰り返し送信レベルにて伝送された、受信されたメッセージを復号するように動作可能であり、前記第１の繰り返し送信レベルにおいて伝送されるメッセージはＮ１の回数で繰り返し送信され、前記第２の繰り返し送信レベルにおいて伝送されるメッセージはＮ２の回数で繰り返し送信され、ここでＮ１＜Ｎ２であり、前記方法は、
ダウンリンクのサーチリソーススペースにおいて、且つ前記第１の繰り返し送信レベルにて、第１のページング割り当てメッセージを前記端末に伝送することと、
ダウンリンクのサーチリソーススペースにおいて、且つ前記第２の繰り返し送信レベルにて、第２のページング割り当てメッセージを前記端末に伝送することと、を含む方法。
【請求項２】
前記第１のページング割り当てメッセージ及び前記第２のページング割り当てメッセージは前記ページング情報を含む、請求項１に記載の方法。
【請求項３】
前記第１及び第２のページング割り当てメッセージは、ページングリソーススペースにおいてページングリソースを割り当て、前記方法はさらに、
割り当てられた前記ページングリソースにおいて、且つ１つ以上のページングメッセージを介して、前記ページング情報を伝送することであって、前記１つ以上のページングメッセージは、前記第１及び第２の繰り返し送信レベルにおいて伝送される、ことを含み、前記ページング情報は、前記第１のページング割り当てメッセージのための復号時間に基づいて決定された開始時間から伝送される、請求項１に記載の方法。
【請求項４】
前記ページング情報を伝送することは、前記第２の繰り返し送信レベルにおいて、前記第２のページング割り当てメッセージ及び前記ページングメッセージの復号に基づいた終了時間まで、前記１つ以上のページングメッセージを伝送することを含む、請求項３に記載の方法。
【請求項５】
前記ページング情報の伝送は、前記第２のページング割り当てメッセージの伝送の終わりの前の時間において開始する、請求項３に記載の方法。
【請求項６】
前記第１のページング割り当てメッセージは、前記ページングリソーススペースにおいて第１のページングリソースを割り当てるためにあり、前記第２のページング割り当てメッセージは、前記ページングリソーススペースにおいて第２のページングリソースを割り当てるためにあり、
前記１つ以上のページングメッセージのうちの第１のものは、前記第１のページングリソースにおいて、前記第１の繰り返し送信レベルにて伝送され、
前記１つ以上のページングメッセージの第２のものは、前記第２のページングリソースにおいて、前記第２の繰り返し送信レベルにて伝送される、請求項３に記載の方法。
【請求項７】
前記第１及び第２のページングリソースは、
同じ周波数帯域幅から選択されること、
異なる周波数帯域幅から選択されること、
同じ伝送時間において開始するように選択されること、
異なる伝送時間において開始するように選択されること、
のうちの１つ以上である、請求項６に記載の方法。
【請求項８】
さらに端末が、前記第１の繰り返し送信レベルにて前記第１のページング割り当てメッセージを復号し、且つ前記第１の繰り返し送信レベルにて、前記開始時間から、前記１つ以上のページングメッセージのうちの少なくとも１つを復号する、請求項３に記載の方法。
【請求項９】
さらに端末が、前記第２の繰り返し送信レベルにて前記第２のページング割り当てメッセージを復号し、且つ前記開始時間よりも後の時間から、前記１つ以上のページングメッセージのうちの少なくとも１つの受信を開始する、請求項３に記載の方法。
【請求項１０】
前記ページング情報を伝送することは、前記第２の繰り返し送信レベルにて、前記ページング情報を伝送するための帯域幅と同じ帯域幅において、前記第１の繰り返し送信レベルにて、前記ページング情報を伝送することを含む、請求項３に記載の方法。
【請求項１１】
前記ページングメッセージを伝送することは、前記第２の繰り返し送信レベルにて、前記ページング情報を伝送するための帯域幅とは異なる帯域幅において、前記第１の繰り返し送信レベルにて、前記ページング情報を伝送することを含む、請求項３に記載の方法。
【請求項１２】
前記第１のページング割り当てメッセージは、前記ページングリソーススペースにおける前記第２のページング割り当てメッセージによって割り当てられた第２のページング周波数リソースと同一である、前記ページングリソーススペースにおける第１のページング周波数リソースを割り当てている、請求項３に記載の方法。
【請求項１３】
前記第１のページング割り当てメッセージは、前記ページングリソーススペースにおける前記第２のページング割り当てメッセージによって割り当てられた第２の周波数ページングリソースとは異なる、前記ページングリソースにおける第１の周波数ページングリソースを割り当てている、請求項３に記載の方法。
【請求項１４】
前記第１のページング割り当てメッセージの伝送は、前記第２のページング割り当てメッセージの伝送と同じ時間に開始する、請求項１に記載の方法。
【請求項１５】
前記第１のページング割り当てメッセージは、前記第２のページング割り当てメッセージを伝送する帯域幅と同じ帯域幅にて伝送される、請求項１に記載の方法。
【請求項１６】
前記第１のページング割り当てメッセージは、前記第２のページング割り当てメッセージを伝送する帯域幅とは異なる帯域幅にて伝送される、請求項１に記載の方法。
【請求項１７】
前記端末は、中程度の繰り返し送信レベルにて伝送される、受信されたメッセージを復号するように動作可能であり、前記中程度の繰り返し送信レベルにて伝送されたメッセージはＮ−ｍｅｄの回数で繰り返し送信され、ここでＮ１＜Ｎ−ｍｅｄ＜Ｎ２であり、前記方法はさらに、
前記中程度の繰り返し送信レベルにて、前記ダウンリンクのサーチリソーススペースにおいて、さらなるページング割り当てメッセージを伝送することであって、前記さらなるページング割り当てメッセージはページングリソーススペースにおいてさらなるページングリソースを割り当てる、ことと、
必要に応じて、前記中程度の繰り返し送信レベルにて、前記さらなる割り当てられたページングリソースにおいてページングメッセージを伝送することであって、前記ページングメッセージは前記ページング情報を含む、こととを含む請求項１に記載の方法。
【請求項１８】
ワイヤレスインタフェースを介して端末をページングするために、遠隔通信システムにおいてモバイルノードを操作する方法であって、前記端末は、第１の繰り返し送信レベル又は第２の繰り返し送信レベルにて伝送される、受信されたメッセージを復号するように動作可能であり、前記第１の繰り返し送信レベルにて伝送されたメッセージはＮ１の回数で繰り返し送信され、前記第２の繰り返し送信レベルにて伝送されたメッセージはＮ２の回数で繰り返し送信され、ここでＮ１＜Ｎ２であり、前記方法は、
ダウンリンクのサーチリソーススペースにおいて、且つ前記第１の繰り返し送信レベルにて、第１のページング割り当てメッセージを前記端末に伝送するようにトランスミッタに命令することと、
ダウンリンクのサーチリソーススペースにおいて、且つ前記第２の繰り返し送信レベルにて、第２のページング割り当てメッセージを前記端末に伝送するように前記トランスミッタに命令することとを含む、方法。
【請求項１９】
遠隔通信システムにおいて利用するモバイルノードであって、前記モバイルノードはトランスミッタ、レシーバ、及びコントローラを備え、前記モバイルノードは、ワイヤレスインタフェースを介して端末をページングするように構成され、前記端末は、第１の繰り返し送信レベル又は第２の繰り返し送信レベルにて伝送される、受信されたメッセージを復号するように動作可能であり、前記第１の繰り返し送信レベルにて伝送されたメッセージはＮ１の回数で繰り返し送信され、前記第２の繰り返し送信レベルにて伝送されたメッセージはＮ２の回数で繰り返し送信され、ここでＮ１＜Ｎ２であり、前記端末をページングするように構成された前記モバイルノードは、
ダウンリンクのサーチリソーススペースにおいて、且つ前記第１の繰り返し送信レベルにて、第１のページング割り当てメッセージを前記端末に伝送するように前記トランスミッタに命令し、
ダウンリンクのサーチリソーススペースにおいて、且つ前記第２の繰り返し送信レベルにて、第２のページング割り当てメッセージを前記端末に伝送するように前記トランスミッタに命令するように構成された前記コントローラを備える、モバイルノード。
【請求項２０】
前記モバイルノードは、基地局、インフラストラクチャユニット、リレーノード、及び端末のうちの１つである、請求項１９に記載のモバイルノード。
【請求項２１】
遠隔通信システムにおいて利用するモバイルノードのための集積回路網であって、前記集積回路網は、ワイヤレスインタフェースを介して端末をページングするように共に動作するように構成されたコントローラ要素及びトランシーバ要素を備え、前記端末は、第１の繰り返し送信レベル又は第２の繰り返し送信レベルにて伝送される、受信されたメッセージを復号するように動作可能であり、前記第１の繰り返し送信レベルにて伝送されるメッセージはＮ１の回数で繰り返し送信され、前記第２の繰り返し送信レベルにて伝送されるメッセージはＮ２の回数で繰り返し送信され、ここでＮ１＜Ｎ２であり、前記端末をページングするように共に動作するように構成された前記コントローラ要素及び前記トランシーバ要素は、
ダウンリンクのサーチリソーススペースにおいて、且つ前記第１の繰り返し送信レベルにて、第１のページング割り当てメッセージを前記端末に伝送するようにトランスミッタに命令し、
ダウンリンクのサーチリソーススペースにおいて、且つ前記第２の繰り返し送信レベルにて、第２のページング割り当てメッセージを前記端末に伝送するように前記トランスミッタに命令するように共に動作するように構成された前記コントローラ要素及び前記トランシーバ要素を含む、集積回路網。
【請求項２２】
遠隔通信システムにおいて使用する端末を操作する方法であって、
前記端末はトランスミッタ、レシーバ、及びコントローラを備え、前記コントローラは、前記レシーバによって受信され、且つ第１の繰り返し送信レベル又は第２の繰り返し送信レベルにて伝送されたメッセージを復号するように構成され、前記第１の繰り返し送信レベルにて伝送されたメッセージはＮ１の回数で繰り返し送信され、前記第２の繰り返し送信レベルにて伝送されたメッセージはＮ２の回数で繰り返し送信され、ここでＮ１＜Ｎ２であり、
前記方法は、前記第１及び第２の繰り返し送信レベルのうちの１つにて、サーチリソーススペースにおいて前記レシーバによって受信されたページング割り当てメッセージを復号することであって、前記ページング割り当てメッセージは２つのページング割り当てメッセージのうちの１つであり、前記２つのページング割り当てメッセージの各々は前記第１及び第２の繰り返し送信レベルのうちの異なる繰り返し送信レベルにて送信される、ことを含む方法。
【請求項２３】
遠隔通信システムにおいて使用する端末であって、前記端末はトランスミッタ、レシーバ、及びコントローラを備え、前記コントローラは、
前記レシーバによって受信され、且つ第１の繰り返し送信レベル又は第２の繰り返し送信レベルにて伝送されたメッセージを復号し、ここで前記第１の繰り返し送信レベルにて伝送されるメッセージはＮ１の回数にて繰り返し送信され、前記第２の繰り返し送信レベルにて伝送されるメッセージはＮ２の回数にて繰り返し送信され、ここでＮ１＜Ｎ２であり、
前記第１及び第２の繰り返し送信レベルのうちの１つにて、サーチリソーススペースにおいて前記レシーバによって受信されたページング割り当てメッセージを復号するように構成され、前記ページング割り当てメッセージは２つのページング割り当てメッセージのうちの１つであり、前記２つのページング割り当てメッセージの各々は前記第１及び第２の繰り返し送信レベルのうちの異なる繰り返し送信レベルにて送信される、端末。
【請求項２４】
前記受信されたページング割り当てメッセージは、ページングリソーススペースにおいてページングリソースを割り当て、
前記コントローラは、前記割り当てられたページングリソースにおいて、且つ前記第１及び第２の繰り返し送信レベルのうちの１つにて、前記ページング割り当てメッセージの復号時間に基づいて決定された開始時間から、前記レシーバによって受信されたページングメッセージを、前記第１及び第２の繰り返し送信レベルのうちの１つにて、復号するようにさらに構成される、請求項２３に記載の端末。
【請求項２５】
遠隔通信システムにおいて使用する端末のための集積回路網であって、前記集積回路網は、
レシーバによって受信され、且つ第１の繰り返し送信レベル又は第２の繰り返し送信レベルにて伝送されたメッセージを復号し、ここで前記第１の繰り返し送信レベルにて伝送されるメッセージはＮ１の回数にて繰り返し送信され、前記第２の繰り返し送信レベルにて伝送されるメッセージはＮ２の回数にて繰り返し送信され、ここでＮ１＜Ｎ２であり、
前記第１及び第２の繰り返し送信レベルのうちの１つにて、サーチリソーススペースにおいて前記レシーバによって受信されたページング割り当てメッセージを復号し、前記ページング割り当てメッセージは２つのページング割り当てメッセージのうちの１つであり、前記２つのページング割り当てメッセージの各々は前記第１及び第２の繰り返し送信レベルのうちの異なる繰り返し送信レベルにて送信される、ように構成されたコントローラ要素及びトランシーバ要素を備える、集積回路網。
【請求項２６】
ワイヤレスインタフェースを介して遠隔通信システムにおいて端末をページングする方法であって、前記端末は第１の繰り返し送信レベル又は第２の繰り返し送信レベルにて伝送される、受信されたメッセージを復号するように動作可能であり、前記第１の繰り返し送信レベルにて伝送されるメッセージはＮ１の回数にて繰り返し送信され、前記第２の繰り返し送信レベルにて伝送されるメッセージはＮ２の回数にて繰り返し送信され、ここでＮ１＜Ｎ２であり、前記方法は、
ダウンリンクのサーチリソーススペースにおいて、且つ前記第１及び第２の両方の繰り返し送信レベルにて、ページング割り当てメッセージを伝送することであって、前記ページング割り当てメッセージはページングリソーススペースにおいてページングリソースを割り当てる、ことと、
割り当てられた前記ページングリソースにおいてページングメッセージを伝送することであって、前記ページングメッセージの伝送は、前記ページング割り当てメッセージの伝送の終わりの前の時間において開始する、こととを含む方法。
【請求項２７】
コンピュータによって実行される場合、前記コンピュータに請求項１、請求項１８、請求項２２、又は請求項２６の方法を実行させる、コンピュータソフトウェア。
【請求項２８】
請求項２７に係るコンピュータソフトウェアを記憶する記憶媒体。
【手続補正２】
【補正対象書類名】明細書
【補正対象項目名】００４３
【補正方法】変更
【補正の内容】
【００４３】
ページング情報を搬送するためにページングメッセージが伝送される場合、次いで追加の任意のステップが実行されてもよく、ここでページングメッセージ（ＰＭ）はＰＡＭ１及び／又はＰＡＭ２によって割り当てられたページングリソースにおいて伝送される。一部の例において、ＰＡＭ１及びＰＡＭ２の各々において示されるページングリソースは、その同じ時間において開始し、及び／又は同じ周波数帯を用い、一部の例においては、それらは異なる時間において開始し、及び／又は異なる周波数帯を用いる。ＰＭは、第１及び第２の繰り返し送信レベルにて、且つＰＡＭ１の復号時間に基づいて決定された開始時間から伝送される。従って、第２の繰り返し送信レベルを用いる端末がＰＭを受信及び復号することがまだできない場合であっても、第１の繰り返し送信レベルにて動作する端末がＰＭを受信してよく、従って、より早期に対応の情報を受信し、適切な場合には、より早期に基地局との通信を開始することができる。
【国際調査報告】
2018533297.tif 000015
2018533297.tif 000016